(57)【要約】  ファイナライズ処理が完了する前に不慮の電源中断や重大な書込エラーなどが発生した場合でも、ファイナライズ済みディスクとして認識される光ディスクを作成する記録装置等が提供される。  記録装置は、記録面上に、順に、ユーザデータ領域、第１管理情報領域、インジケータ領域および第２管理情報領域が設けられた追記型の記録媒体に情報を記録する。記録装置は、光ヘッドと、光ヘッドに対して情報の記録を指示する制御部とを備えている。制御部は、管理情報を第１管理情報領域に記録するよう指示し、管理情報が記録されたか否かを示すインジケータ情報をインジケータ領域に記録するよう指示し、第１管理情報領域に記録されたと同じ管理情報を第２管理情報領域に記録するよう指示する。
2008038698.tif 000002
【特許請求の範囲】
【請求項１】
記録面上に、順に、ユーザデータ領域、第１管理情報領域、インジケータ領域および第２管理情報領域が設けられた追記型の記録媒体に情報を記録する記録装置であって、
光ヘッドと、
前記光ヘッドに対して情報の記録を指示する制御部と
を備え、前記制御部は、管理情報を前記第１管理情報領域に記録するよう指示し、前記管理情報が記録されたか否かを示すインジケータ情報を前記インジケータ領域に記録するよう指示し、前記第１管理情報領域に記録されたと同じ管理情報を前記第２管理情報領域に記録するよう指示する、記録装置。
【請求項２】
前記追記型記録媒体には、最新の管理情報が追加的に記録される一時的管理情報領域がさらに設けられており、
前記記録媒体のファイナライズ処理の実行時において、前記制御部は、前記一時的管理情報領域に記録されている前記最新の管理情報を、前記第１管理情報領域および前記第２管理情報領域に記録するよう指示する、請求項１に記載の記録装置。
【請求項３】
前記制御部は、前記管理情報に記録される情報の一部を、さらに前記インジケータ領域に記録するよう指示する、請求項２に記載の記録装置。
【請求項４】
前記制御部は、前記一時的管理情報領域に前記最新の管理情報が追加的に記録されたことを示す情報を、さらに前記インジケータ領域に記録するよう指示する、請求項２に記載の記録装置。
【請求項５】
前記制御部は、ユーザデータを前記ユーザデータ領域に記録するよう指示し、その後、前記ファイナライズ処理を実行する、請求項２に記載の記録装置。
【請求項６】
記録面上に、順に、ユーザデータ領域、第１管理情報領域、インジケータ領域および第２管理情報領域が設けられた追記型の記録媒体に情報を記録する記録方法であって、
（ａ）管理情報を前記第１管理情報領域に記録するステップと、
（ｂ）前記ステップ（ａ）の後に、前記管理情報が記録されたか否かを示すインジケータ情報を前記インジケータ領域に記録するステップと、
（ｃ）前記ステップ（ｂ）の後に、前記第１管理情報領域に記録されたと同じ管理情報を前記第２管理情報領域に記録するステップと
を包含する記録方法。
【請求項７】
光ヘッドを備えた記録装置に組み込まれて、追記型の記録媒体に情報を記録するよう前記光ヘッドに指示する制御回路であって、
前記記録媒体には、記録面上に、順に、ユーザデータ領域、第１管理情報領域、インジケータ領域および第２管理情報領域が設けられており、
前記制御回路は、
前記光ヘッドに対して管理情報の記録を指示する記録制御部と、
管理情報を生成する管理情報処理部と
を備えており、前記記録制御部は前記光ヘッドに対して、前記管理情報処理部によって生成された管理情報を、前記第１管理情報領域に記録するよう指示し、前記管理情報が記録されたか否かを示すインジケータ情報を前記インジケータ領域に記録するよう指示し、前記第１管理情報領域に記録されたと同じ管理情報を前記第２管理情報領域に記録するよう指示する、制御回路。
【発明の詳細な説明】
【技術分野】
【０００１】
本発明は、追記型記録媒体に情報を記録する記録装置および記録方法、追記型記録媒体から情報を再生する再生装置および再生方法に関する。
【背景技術】
【０００２】
複数の装置の間で交換可能な情報記録媒体として光ディスクが良く知られている。光ディスクには、大別して、再生専用型、追記型および書換型の３種類がある。追記型光ディスクには、媒体上の同じ場所には一度だけデータを書き込むことができる。例えば、ＣＤ−ＲおよびＤＶＤ−Ｒが追記型光ディスクである。書換型光ディスクには、媒体上の同じ場所に何回もデータを書き込むことができる。例えば、ＣＤ−ＲＷおよびＤＶＤ−ＲＡＭが書換型光ディスクである。【０００３】
光ディスクは、交換可能な情報記録媒体であるため、たとえば交換時や交換中に表面に傷がついたり、埃が付着することがある。傷や埃は、記録面に存在する欠陥として取り扱われる。従って、記録再生される情報の信頼性保障のために欠陥管理を行う必要がある。【０００４】
従来の欠陥管理方法として、たとえば特許文献１は、書換型光ディスク（例えばＤＶＤ−ＲＡＭ）の内周側と外周側との所定の位置にそれぞれ２個ずつ（合計４個）の、欠陥の管理情報領域（Ｄｅｆｅｃｔ  Ｍａｎａｇｅｍｅｎｔ  Ａｒｅａ；ＤＭＡ）を割り付け、これらの管理情報領域にディスクの構造を定義したＤＤＳ（Ｄａｔａ  Ｄｅｆｉｎｉｔｉｏｎ  Ｓｔｒｕｃｔｕｒｅ）と欠陥管理リストＤＦＬ（Ｄｅｆｅｃｔ  Ｌｉｓｔ）を記録する方法を開示している。【０００５】
従来、再生専用型光ディスクからのデータの読み出しにのみ対応する光ディスク再生装置（例えば、ＤＶＤプレーヤ）からデータを読み出せるようにするために、追記型光ディスクにはファイナライズ処理が行われる必要があった。追記型光ディスクがファイナライズされることで、再生専用型光ディスクのデータ構造と互換のあるデータ構造になり、追記可能な状態から追記不可能な状態へ変化する。【０００６】
近年、ハイビジョン等の高品質なビデオのデータを格納するために好適な、大容量の光ディスクであるブルーレイディスクの規格化および開発が進められている（たとえば非特許文献１）。高品質、大容量であるが故に、追記型ブルーレイディスクにも強力な欠陥管理が適用される。【０００７】
追記型ブルーレイディスクは、書換型ブルーレイディスクとの互換性が考慮されており、ファイナライズによって追記可能な状態から追記不可能な状態に変更された時に、書換型ブルーレイディスクと同じ管理情報のデータ配置およびデータ構造になるように規格が定められている。つまり、追記型ブルーレイディスクは、管理情報をＤＭＡ領域に記録することによってファイナライズが行われ、書換型ブルーレイディスクのデータ構造と互換性のあるデータ構造になり、しかも追記可能な状態から追記不可能な状態に固定される。【０００８】
図１９は、従来の光ディスクの構成を示す。【０００９】
光ディスク２１は円盤状の基盤に、スパイラル状のトラック溝２２が形成されて構成されている。トラック溝２２には、複数のブロック２３が形成されている。ブロック２３は、エラー訂正の単位であり、同時に情報の記録および情報の再生のための最小の単位である。【００１０】
光ディスク２１は、リードイン領域２４と、ユーザデータ領域２５と、リードアウト領域２６とを有する。ユーザデータの書き込みおよび読み出しはユーザデータ領域２５に対して行われる。【００１１】
リードイン領域２４およびリードアウト領域２６は、光ヘッド（図示せず）がユーザデータ領域２５の端にアクセスする場合に、光ヘッドがユーザデータ領域２５からオーバーランしてもトラッキングができるようにトラック溝が設けられた冗長な領域である。リードイン領域２４およびリードアウト領域２６は、ユーザーによるアクセス（所定アドレスにおける記録又は再生）が許可された領域ではない。しかしながら、それらの一方または双方の一部に、管理データ等が書き込まれることがある。【００１２】
リードイン領域２４には、管理情報領域２８ａおよび２８ｂ、インジケータ領域２７および一時的管理情報領域２９が設けられる。管理情報領域２８ａおよび２８ｂには、光ディスク２１の記録状態を管理するための管理情報が記録される。インジケータ領域２７には、管理情報領域２８および一時的管理情報領域２９が記録済みか否かを示すインジケータ情報が記録される。【００１３】
リードアウト領域２６には、管理情報領域２８ｃが設けられている。管理情報領域２８ｃは、光ディスク２１の記録状態を管理する管理情報が記録される。【００１４】
図２０は、従来の追記型ディスクのデータ構造を示す。図２０の左端には、図１９において説明したインジケータ領域２７、管理情報領域２８ａ〜２８ｃおよび一時的管理情報領域２９が示されている。【００１５】
インジケータ領域２７は、アクセスインジケータ２７ａを有する。アクセスインジケータ２７ａは、ＤＭＡ記録済み情報３５およびＴＤＭＡ記録済み情報３６を含む。ＤＭＡ記録済み情報３５は、ＤＭＡ１領域３１に記録されるＤＤＳ３７のコピー３９である。【００１６】
管理情報領域２８ａ〜２８ｃには、ファイナライズ時に管理情報を記録するためのＤＭＡ１領域３１、ＤＭＡ２領域３２、ＤＭＡ３領域３３およびＤＭＡ４領域３４が分散して配置されている。それぞれの領域には、ディスクの管理情報（ＤＤＳ３７およびＤＦＬ３８）が記録される。【００１７】
１つのＤＭＡ領域にはＤＦＬ３８が同じ内容で多重記録される。ＤＤＳ３７はＤＦＬ記録位置情報４０を有する。ＤＦＬ記録位置情報４０は、正常に再生することができるＤＦＬ３８の記録位置を示す。【００１８】
一時的管理情報領域２９は、ファイナライズするまでに管理情報を一時的に記録するためのＴＤＭＡ領域３０を有する。ＴＤＭＡ領域３０には、より新しいＤＤＳ３７およびＤＦＬ３８が記録される。【００１９】
図７は、管理情報を取得する手順の一例を示すフローチャートである。従来の光ディスク装置は、光ディスクが装着されるとアクセスインジケータ２７ａを取得し（ステップ４０１）、管理情報を取得する対象となる領域を決定する（ステップ４０２）。【００２０】
ＤＭＡ記録済み情報３５が記録されていなくて、ＴＤＭＡ記録済み情報３６が記録されていれば、光ディスク装置はＴＤＭＡ領域３０から管理情報を取得する（ステップ４０３）。ＴＤＭＡ領域３０から管理情報が取得できた場合は、光ディスク装置は、装着された光ディスクはファイナライズ未実施であると判定する（ステップ４０５）。管理情報が取得できなかった場合は、光ディスク装置は、装着された光ディスクは異常ディスクであると判定する（ステップ４０６）。【００２１】
一方、ＤＭＡ記録済み情報３５が記録されていれば、光ディスク装置は、ＤＭＡ領域（ＤＭＡ１領域３１〜ＤＭＡ４領域３４）から管理情報を取得する（ステップ４０７）。管理情報が取得できた場合は、光ディスク装置は、装着された光ディスクはファイナライズ済みディスクであると判定し（ステップ４０９）、管理情報が取得できなかった場合は、装着された光ディスクは異常ディスクであると判定する（ステップ４０６）。【００２２】
次にファイナライズ処理を説明する。以下のファイナライズ処理の手順は、既存の光ディスク装置が実際に実行しているとして挙げるものではなく、そのような処理が考えられる、ということの一例として説明する。【００２３】
図８および図１０は、ファイナライズ処理の手順の一例を示すフローチャートである。【００２４】
従来の光ディスク装置においては、上位制御装置からファイナライズ命令を受けてファイナライズ処理が実行される。光ディスクのファイナライズ処理は、ＤＭＡ１領域３１〜ＤＭＡ４領域３４に管理情報を記録するステップ（Ａ）と、アクセスインジケータ２７ａ（ＤＭＡ記録済み情報３５）を記録するステップ（Ｂ）とを実行することによって実現される。例えば、特許文献２はそのような処理を開示している。【００２５】
図８は、ＤＭＡ１領域３１〜ＤＭＡ４領域３４に管理情報を記録するステップ（Ａ）を実行した後に、アクセスインジケータ２７ａを記録するステップ（Ｂ）を実行するファイナライズ処理の手順を示すフローチャートである。【００２６】
図９は、図８の記録方法でファイナライズを実行した光ディスクの記録状態を示す。図９の（ａ）〜（ｆ）は図８の（ａ）〜（ｆ）とそれぞれ対応しており、同時点の光ディスクの状態を示す。【００２７】
図１０は、アクセスインジケータ２７ａを記録するステップ（Ｂ）の後に、ＤＭＡ１領域３１〜ＤＭＡ４領域３４に管理情報を記録するステップ（Ａ）を実行するファイナライズ処理の手順を示すフローチャートである。
【特許文献１】日本国特開平５−２８３７号公報
【特許文献２】日本国特開２００５−２７６４３３号公報
【非特許文献１】White Paper BD-R Physical Specifications，２００６年２月（ＵＲＬ；http://www.blu-raydisc.com/assets/downloadablefile/BD-R_Physical_3rd_edition_0602f1-13322.pdf）
【発明の開示】
【発明が解決しようとする課題】
【００２８】
しかしながら、図８および図１０で示すファイナライズ処理を行うとすると、不慮の電源中断、その他の原因によるＤＭＡ領域の記録に失敗した場合に、ＤＭＡ領域から管理情報が再生できない光ディスクや、再生互換性がない（または低い）規格違反の光ディスクが作成されてしまう。【００２９】
たとえば、図８で示した手順でファイナライズ処理を行うときにおいて、ファイナライズ処理途中で不慮の電源中断、または重大な書込エラーなどが発生したとする。【００３０】
ステップ（Ａ）すなわちＤＭＡの記録が完了した後に不慮の電源中断などが発生したとすると、光ディスクは図９（ｅ）すなわちアクセスインジケータは未記録でしかもＤＭＡ記録が完了という状態になる。光ディスク装置は、この光ディスクを起動するとＤＭＡ記録済み情報１５が未記録であるためファイナライズ未実施の光ディスクと判定する。この光ディスクが再度ファイナライズされると、ＤＭＡ領域が全て上書きされて管理情報が再生できない状態になる可能性がある。【００３１】
次に、図１０で示した手順でファイナライズ処理を行うときにおいて、ＤＭＡ１領域３１のＤＦＬ３８の記録に失敗したとする。【００３２】
はじめに、光ディスク装置は、アクセスインジケータ２７ａを記録する（ステップ（Ｂ））。このとき光ディスク装置は、ＤＭＡ記録済み情報３５に対し、ＤＦＬ記録位置情報４０がＤＭＡ１領域３１内のＤＦＬ３８を記録する領域の先頭の位置（ＤＦＬ＃１）を示すよう設定してから記録する。【００３３】
次に光ディスク装置は、ＤＭＡ１領域３１にＤＦＬ３８およびＤＤＳ３７を記録する（ステップ（Ａ））。このとき、光ディスク装置は、まずＤＦＬ３８をＤＦＬ＃１からＤＦＬ＃７に記録する。そして光ディスク装置は、ＤＤＳ３７に対し、ＤＦＬ記録位置情報４０がＤＦＬ３８が正しく再生できる先頭の位置を示すように設定して、ＤＤＳ３７を記録する。たとえば、ＤＦＬ＃１の記録に失敗してＤＦＬ＃２への記録は成功した場合には、ＤＤＳ３７のＤＦＬ記録位置情報４０はＤＦＬ＃２を示すことになる。【００３４】
このように、ＤＭＡ１領域３１のＤＤＳ３７と、アクセスインジケータ領域２９に記録されたＤＭＡ記録済み情報３５との間で、ＤＦＬ記録位置情報４０の内容が異なることが生じ得る。アクセスインジケータ領域２９のＤＭＡ記録済み情報３５がＤＭＡ１のＤＤＳ３７と同じ内容を記録することが規格上定められているような場合には、この光ディスクは規格違反になる。その結果、当該規格に対応した装置が処理できなくなって動作が停止し、再生互換性が低下するという課題がある。【００３５】
本発明の目的は、ファイナライズ処理が完了する前に不慮の電源中断や重大な書込エラーなどが発生した場合でも、ファイナライズ済みディスクとして認識される光ディスクを作成すること、および、再生互換性の低い規格違反状態の光ディスクを作成することがないファイナライズ処理を実行可能な管理情報更新装置および管理情報更新方法を提供することである。【００３６】
また、本発明の他の目的は、管理情報領域への情報の記録中に電源中断などが発生し、更新処理が完了しなかった光ディスクであっても、その光ディスクから正常に管理情報を取得可能な管理情報取得装置および管理情報を取得する方法を提供することである。
【課題を解決するための手段】
【００３７】
本発明による記録装置は、記録面上に、順に、ユーザデータ領域、第１管理情報領域、インジケータ領域および第２管理情報領域が設けられた追記型の記録媒体に情報を記録する。前記記録装置は、光ヘッドと、前記光ヘッドに対して情報の記録を指示する制御部とを備えている。前記制御部は、管理情報を前記第１管理情報領域に記録するよう指示し、前記管理情報が記録されたか否かを示すインジケータ情報を前記インジケータ領域に記録するよう指示し、前記第１管理情報領域に記録されたと同じ管理情報を前記第２管理情報領域に記録するよう指示する。【００３８】
前記追記型記録媒体には、最新の管理情報が追加的に記録される一時的管理情報領域がさらに設けられており、前記記録媒体のファイナライズ処理の実行時において、前記制御部は、前記一時的管理情報領域に記録されている前記最新の管理情報を、前記第１管理情報領域および前記第２管理情報領域に記録するよう指示してもよい。【００３９】
前記制御部は、前記管理情報に記録される情報の一部を、さらに前記インジケータ領域に記録するよう指示してもよい。【００４０】
前記制御部は、前記一時的管理情報領域に前記最新の管理情報が追加的に記録されたことを示す情報を、さらに前記インジケータ領域に記録するよう指示してもよい。【００４１】
前記制御部は、ユーザデータを前記ユーザデータ領域に記録するよう指示し、その後、前記ファイナライズ処理を実行してもよい。【００４２】
本発明による記録方法は、記録面上に、順に、ユーザデータ領域、第１管理情報領域、インジケータ領域および第２管理情報領域が設けられた追記型の記録媒体に情報を記録するために実行される。前記記録方法は、（ａ）管理情報を前記第１管理情報領域に記録するステップと、（ｂ）前記ステップ（ａ）の後に、前記管理情報が記録されたか否かを示すインジケータ情報を前記インジケータ領域に記録するステップと、（ｃ）前記ステップ（ｂ）の後に、前記第１管理情報領域に記録されたと同じ管理情報を前記第２管理情報領域に記録するステップとを包含する。【００４３】
本発明による制御回路は、光ヘッドを備えた記録装置に組み込まれて、追記型の記録媒体に情報を記録するよう前記光ヘッドに指示する。前記記録媒体には、記録面上に、順に、ユーザデータ領域、第１管理情報領域、インジケータ領域および第２管理情報領域が設けられている。前記制御回路は、前記光ヘッドに対して管理情報の記録を指示する記録制御部と、管理情報を生成する管理情報処理部とを備えている。前記記録制御部は前記光ヘッドに対して、前記管理情報処理部によって生成された管理情報を、前記第１管理情報領域に記録するよう指示し、前記管理情報が記録されたか否かを示すインジケータ情報を前記インジケータ領域に記録するよう指示し、前記第１管理情報領域に記録されたと同じ管理情報を前記第２管理情報領域に記録するよう指示する。【００４４】
本発明によるコンピュータプログラムは、光ヘッドを備えた記録装置に組み込まれた制御回路によって実行され、追記型の記録媒体に情報を記録するよう前記光ヘッドを制御するために利用される。前記記録媒体には、記録面上に、順に、ユーザデータ領域、第１管理情報領域、インジケータ領域および第２管理情報領域が設けられている。前記コンピュータプログラムは前記制御回路に対して、（ａ）管理情報を前記第１管理情報領域に記録するステップと、（ｂ）前記ステップ（ａ）の後に、前記管理情報が記録されたか否かを示すインジケータ情報を前記インジケータ領域に記録するステップと、（ｃ）前記ステップ（ｂ）の後に、前記第１管理情報領域に記録されたと同じ管理情報を前記第２管理情報領域に記録するステップとを実行させる。【００４５】
本発明による第１の再生装置は、記録面上に、第１管理情報領域、インジケータ領域および第２管理情報領域が設けられた追記型の記録媒体から情報を再生する。前記インジケータ領域は、前記第１管理情報領域および前記第２管理情報領域の少なくとも一方に、管理情報が記録されているか否かを示すインジケータ情報が記録される領域である。前記再生装置は、光ヘッドと、前記光ヘッドに対して情報の再生を指示する制御部とを備えている。前記制御部は、前記インジケータ領域に前記インジケータ情報が記録されているか否かにかかわらず、前記管理情報領域にアクセスするよう前記光ヘッドに指示し、前記管理情報領域のうち少なくとも１つが有効な情報を持つか否かを確認し、存在する場合には前記有効な情報を読み出すよう指示する。【００４６】
本発明による第２の再生装置は、記録面上に、一時的管理情報領域およびインジケータ領域が設けられた追記型の記録媒体から情報を再生する。前記一時的管理情報領域は最新の管理情報が追加的に記録される第１領域および第２領域を含んでおり、前記インジケータ領域は、前記一時的管理情報領域に、管理情報が記録されているか否かを示すインジケータ情報が記録される領域である。前記再生装置は、光ヘッドと、前記光ヘッドに対して情報の再生を指示する制御部とを備えている。前記インジケータ情報が、前記一時的管理情報領域内の第１領域に管理情報が記録されていることを示しているときにおいて、前記制御部は、前記第１領域にアクセスするとともに、さらに前記第２領域にもアクセスするよう前記光ヘッドに指示し、前記第１領域および前記第２領域の少なくとも１つが有効な情報を持つか否かを判定し、存在する場合には前記有効な情報を読み出すよう指示する。
【発明の効果】
【００４７】
本発明にかかる管理情報更新方法によれば、記録媒体上に分散して配置されたＤＭＡに管理情報を記録する間にアクセスインジケータを記録するため、ファイナライズ処理が完了する前に不慮の電源中断などが発生してファイナライズ処理が中断した場合でも、ファイナライズ済みディスクとして起動できる状態か、または、ファイナライズ未実施ディスクとして起動して再度ファイナライズ処理を実行することが可能な状態の光ディスクを作成できる。【００４８】
本発明にかかる管理情報更新方法によれば、ＤＭＡ１を記録した後に、アクセスインジケータを記録することによって、ＤＭＡ１のＤＦＬ記録に失敗してＤＦＬ記録位置情報が変更されても、ＤＭＡ１に記録したＤＤＳと同じ内容をインジケータ領域に記録することができる。従って、再生互換性の低い規格違反状態の光ディスクを作成することを防ぐことができる。【００４９】
特に、ユーザデータ領域へのデータの書き込みが完了した後は、ＤＭＡ１、アクセスインジケータ、および、ＤＭＡ２の順序で記録が行われる。これらは記録媒体の内周方向から外周方向へ向けて、または、外周方向から内周方向へ向けて順に記録される。したがって、光ヘッドを同じ方向（たとえば内周方向または外周方向）にシークさせればよいため、シーク時間が短縮され、記録完了までの時間を短縮できる。【００５０】
本発明にかかる管理情報取得方法によれば、アクセスインジケータ（領域記録済み情報）が記録済みであると示している領域以外についても、有効な情報が記録されているか否かを確認するため、管理情報更新中に電源中断などが発生した光ディスクでも、正常に管理情報を取得することができる。
【図面の簡単な説明】
【００５１】
【図１】本発明の実施形態１の光ディスクの構成を示す図である。
【図２】本発明の実施形態１の光ディスクのデータ構造を示す図である。
【図３】本発明の実施形態１の光ディスク装置の構成を示す図である。
【図４】本発明の実施形態１の管理情報更新処理の手順を示すフローチャートである。
【図５】本発明の実施形態１のファイナライズ処理の手順を示すフローチャートである。
【図６】光ディスクの未記録領域および記録済み領域の遷移を示す図である。
【図７】背景技術の管理情報取得処理の手順の一例を示すフローチャートである。
【図８】背景技術のファイナライズ処理の手順の一例を示すフローチャートである。
【図９】光ディスクの未記録領域および記録済み領域の遷移を示す図である。
【図１０】背景技術のファイナライズ処理の手順の一例を示すフローチャートである。
【図１１】インジケータ情報とＤＤＳとでＤＦＬ記録位置情報が異なる場合の一例を示す図である。
【図１２】本発明の実施形態２の光ディスク装置の構成を示す図である。
【図１３】本発明の実施形態２の管理情報取得処理の手順を示すフローチャートである。
【図１４】本発明の実施形態２のＤＭＡ記録済み確認の手順を示すフローチャートである。
【図１５】本発明の実施形態３の管理情報取得処理の手順を示すフローチャートである。
【図１６】アクセスインジケータ領域とＴＤＭＡ領域の記録状態を示す図である。
【図１７】本発明の実施形態３のＴＤＭＡ領域のデータ構造を示す図である。
【図１８】本発明の実施形態３のアクセスインジケータ領域のデータ構造を示す図である。
【図１９】従来の光ディスクの構成を示す図である。
【図２０】従来の光ディスクのデータ構造を示す図である。
【符号の説明】
【００５２】
１００    光ディスク装置
１１０    命令処理部
１２０    記録制御部
１３０    再生制御部
１４０    管理情報格納バッファ
１５０    データバッファ
１６０    管理情報処理部
１６１    インジケータ読み出し部
１６２    インジケータ書き込み部
１６３    管理情報読み出し部
１６４    管理情報書き込み部
１６５    更新処理制御部
１６６    取得処理制御部
１７０    Ｉ／Ｏバス
【発明を実施するための最良の形態】
【００５３】
以下、添付の図面を参照しながら、本発明による情報記録装置および情報再生装置の実施形態を説明する。【００５４】
以下に説明する実施形態では、記録媒体である光ディスク上に４つの管理情報領域（ＤＭＡ１〜４）がリードイン領域、リードアウト領域に分散して設けられ、さらにインジケータ領域が設けられている。さらに、（ａ）ＤＭＡ１に管理情報を記録するステップと（ｂ）前記管理情報が記録されたか否かを示すインジケータ情報をインジケータ領域に記録するステップと（ｃ）ＤＭＡ１に記録されたと同じ内容の管理情報を他のＤＭＡ（２〜４）に記録するステップとが順次実行される。以下、本発明の各実施形態を詳細に説明する。【００５５】
（実施形態１）
１−１．追記型記録媒体
図１は、本実施形態の光ディスク１の構成を示す。光ディスク１の領域構成は図１９の従来の光ディスク２１の領域構成と同等である。【００５６】
光ディスク１は円盤状の基盤に、スパイラル状のトラック溝２が形成されて構成されている。トラック溝２には、複数のブロック３が形成されている。ブロック３は、エラー訂正の単位であり、情報の記録および情報の再生のための最小の単位である。【００５７】
光ディスク１は、リードイン領域４と、ユーザデータ領域５と、リードアウト領域６とを有する。ユーザデータの書き込みおよび読み出しはユーザデータ領域５に対して行われる。【００５８】
リードイン領域４およびリードアウト領域６は、光ヘッド（図示せず）がユーザデータ領域５の端にアクセスする場合に、光ヘッドがユーザデータ領域５からオーバーランしてもトラッキングができるようにトラック溝が設けられた冗長領域である。これらの領域にはユーザーによるアクセス（所定アドレスにおける記録または再生）が許可されていないため、それらの一方または双方の一部に、管理データ等が書き込まれることがある。【００５９】
リードイン領域４には、インジケータ領域７、管理情報領域８ａおよび一時的管理情報領域９が設けられる。管理情報領域８ａおよび一時的管理情報領域９には、光ディスク１の記録状態を管理する管理情報が記録される。一時的管理情報領域９は、管理情報領域に記録される管理情報を一時的に記録するために利用される。インジケータ領域７には、管理情報領域８および一時的管理情報領域９が記録済みか否かを示すインジケータ情報が記録される。【００６０】
リードアウト領域６は、光ディスク１の記録状態を管理する管理情報が記録される管理情報領域８ｃを有する。【００６１】
図２は、本実施形態の光ディスク１のデータ構造を示す。図２の左端には、図１において説明したインジケータ領域７、管理情報領域８ａ〜８ｃおよび一時的管理情報領域９が示されている。光ディスク１のデータ構造は、図２０の従来のデータ構造と同等である。【００６２】
インジケータ領域７は、アクセスインジケータ７ａを有する。アクセスインジケータ７ａは、ＤＭＡ記録済み情報１５とＴＤＭＡ記録済み情報１６を含む。ＤＭＡ記録済み情報１５は、ＤＭＡ１領域１１のＤＤＳ１７のコピー１９である。【００６３】
管理情報領域８ａ〜８ｃには、ファイナライズ時に管理情報を記録するためのＤＭＡ１領域１１、ＤＭＡ２領域１２、ＤＭＡ３領域１３およびＤＭＡ４領域１４が分散して配置されている。それぞれの領域には、ディスクの管理情報（ＤＤＳ１７およびＤＦＬ１８）が記録される。【００６４】
１つのＤＭＡ領域にはＤＦＬ１８が同じ内容で多重記録される。ＤＤＳ１７はＤＦＬ記録位置情報２０を有する。ＤＦＬ記録位置情報２０は、正常に再生することができるＤＦＬ１８の記録位置を示す。【００６５】
一時的管理情報領域９は、ファイナライズするまでに管理情報を一時的に記録するためのＴＤＭＡ領域１０を有する。ＴＤＭＡ領域１０には、より新しいＤＤＳ１７およびＤＦＬ１８が記録されていく。【００６６】
本明細書においては、ＤＭＡ１領域１１からＤＭＡ４領域１４をまとめて、「ＤＭＡ領域」と記述する。【００６７】
１−２．記録再生装置
図３は、本実施形態の光ディスク装置１００の構成を示す。【００６８】
光ディスク装置１００は、Ｉ／Ｏバス１７０に接続されており、Ｉ／Ｏバス１７０は、上位制御装置（図示せず）に接続されている。上位制御装置は、典型的には、ホストコンピュータである。【００６９】
光ディスク装置１００は、光ディスク１を装着可能に構成されている。光ディスク装置１００は、命令処理部１１０と、制御回路１１５と、管理情報バッファ１４０と、データバッファ１５０と、光ヘッド１６５とを備えている。【００７０】
命令処理部１１０は、上位制御装置からの命令を処理する。管理情報バッファ１４０は管理情報を格納する。データバッファ１５０は記録データを一時的に格納する。【００７１】
制御回路１１５は、命令処理部１１０によって処理された命令に基づいて処理を実行する。たとえば制御回路１１５は、上位制御装置からの再生命令に従って光ヘッド１６５を駆動し、光ディスク１から情報を再生する。また制御回路１１５は、上位制御装置からの記録命令に従って、データバッファ１５０に格納された情報を読み出し、光ヘッド１６５を駆動して、光ディスク１にその情報を記録する。たとえば制御回路１１５の指示に基づいて、光ヘッド１６５は、映像情報および／または音声情報（いわゆるユーザデータ）をユーザデータ領域５に記録し、後述の管理情報をＤＭＡ領域に記録し、アクセスインジケータ７ａをインジケータ領域７に記録する。【００７２】
制御回路１１５は、上位制御装置からの命令に応じて、種々の処理を実行する。これは、制御回路１１５が予め保持している種々のコンピュータプログラムを実行することによって実現される。制御回路１１５はハードウェアとしてみれば１つの回路であるが、１つまたは複数のコンピュータプログラムの実行により、あたかも異なる構成要素であるかのように振舞う。【００７３】
本願明細書では、説明の便宜のため、制御回路１１５が主要な処理を実行するための構成要素を備えているとして説明する。具体的には、光ディスク１への情報の記録を制御する記録制御部１２０、光ディスク１からの情報の再生を制御する再生制御部１３０、および、管理情報に関する処理を行う管理情報処理部１６０である。【００７４】
記録処理時には、管理情報処理部１６０によって生成された種々の管理情報が管理情報バッファ１４０に格納される。記録制御部１２０は、光ヘッド１６５に対して管理情報バッファ１４０に格納された管理情報を適切な領域に記録するよう指示する。また、データバッファ１５０にユーザデータが格納されている場合には、記録制御部１２０は、光ヘッド１６５に対してそのユーザデータをユーザデータ領域５に記録するよう指示する。【００７５】
再生処理時には、再生制御部１３０の指示によってユーザデータおよび管理情報が読み出されて、それぞれデータバッファ１５０および管理情報バッファ１４０に格納される。管理情報処理部１６０は、管理情報バッファ１４０に格納された種々の管理情報を読み出して処理する。【００７６】
管理情報処理部１６０はさらに詳細な機能ごとの構成要素を有するとして捉えることができる。すなわち管理情報処理部１６０は、インジケータ読み出し部１６１と、インジケータ書き込み部１６２と、管理情報読み出し部１６３と、管理情報書き込み部１６４と、管理情報更新処理を制御する更新処理制御部１６５と、管理情報取得処理を制御する取得処理制御部１６６とを含む。管理情報処理部１６０はそれらの機能ブロックによって管理情報を処理する。【００７７】
インジケータ読み出し部１６１は、インジケータ領域７からＤＭＡ記録済み情報１５およびＴＤＭＡ記録済み情報１６を読み出す。【００７８】
インジケータ書き込み部１６２は、インジケータ領域７にＤＭＡ記録済み情報１５およびＴＤＭＡ記録済み情報１６を記録する。【００７９】
管理情報読み出し部１６３は、ＤＭＡ１領域１１〜ＤＭＡ４領域１４およびＴＤＭＡ領域１０から管理情報を読み出し、管理情報格納バッファ１５０に格納する。【００８０】
管理情報書き込み部１６４は、管理情報バッファ１４０に格納されている管理情報をＤＭＡ１領域１１〜ＤＭＡ４領域１４およびＴＤＭＡ領域１０に記録する。【００８１】
１−３．管理情報更新方法
本実施形態の光ディスク１に管理情報を更新（記録）する方法を、以下に説明する。この処理は、上述の光ディスク装置１００によって実行される。【００８２】
図４は、本実施形態によるファイナライズ処理の手順を示すフローチャートである。本実施形態においては、（ａ）ＤＭＡ１に管理情報を記録するステップと（ｂ）前記管理情報が記録されたか否かを示すインジケータ情報をインジケータ領域に記録するステップと（ｃ）ＤＭＡ１に記録されたと同じ内容の管理情報を他のＤＭＡ（２〜４）に記録するステップとが順次実行される。【００８３】
以下、図３および図４を参照しながら、本実施形態による追記型記録媒体のファイナライズ処理の手順を説明する。【００８４】
ステップ２０１において、光ディスク１が光ディスク装置１００に装着されると、取得処理制御部１６６は、インジケータ読み出し部１６１および管理情報読み出し部１６３に管理情報の取得処理を実行させる。【００８５】
ステップ２０２において、光ディスク装置１００は、光ディスク１が光ディスク装置１００から排出されるか電源がオフされるまで、光ディスク１に対する命令を上位制御装置から受け付ける。光ディスク１に対する命令がファイナライズ命令である場合には、処理はステップ２０３に進む。【００８６】
ステップ２０３において、更新処理制御部１６５は、光ディスク１に対してファイナライズ処理が可能かどうかを判定する。光ディスク１がファイナライズ未実施ディスクであれば、ファイナライズ処理可能と判定して、処理はステップ２０４に進む。【００８７】
ステップ２０４において、ファイナライズ処理可能な場合、更新処理制御部１６５は、インジケータ書き込み部１６２および管理情報書き込み部１６４に、ファイナライズ処理を実行させる。【００８８】
図５は、本実施形態のファイナライズ処理（図４のステップ２０４）の詳細な手順を示すフローチャートである。ここでは追記型ディスクをファイナライズする処理の例を説明する。【００８９】
更新処理制御部１６５は、ステップ３０１〜ステップ３０５の手順で、インジケータ書き込み部１６１および管理情報書き込み部１６４に対してコマンドを送り、ファイナライズ処理を実行させる。【００９０】
ステップ３０１において、更新処理制御部１６５は、管理情報書き込み部１６４に対してコマンドを送り、ＤＦＬ１８とＤＤＳ１７をＤＭＡ１領域１１に記録させる。このとき、ＤＦＬ１８を記録した後に、ＤＦＬ記録位置情報２０を更新してからＤＤＳ１７が記録される。【００９１】
ステップ３０２において、更新処理制御部１６５は、インジケータ書き込み部１６１に対してコマンドを送り、ステップ３０１でＤＭＡ１領域１１に記録したＤＤＳ１７と同じ内容を、インジケータ領域７に記録させる。【００９２】
ステップ３０３において、更新処理制御部１６５は、管理情報書き込み部１６４に対してコマンドを送り、ＤＦＬ１８およびＤＤＳ１７をＤＭＡ２領域１２に記録させる。このとき、ＤＦＬ１８が記録された後に、ＤＦＬ記録位置情報２０が更新され、その後、ＤＤＳ１７が記録される。【００９３】
ステップ３０４において、更新処理制御部１６５は、管理情報書き込み部１６４に対してコマンドを送り、ＤＦＬ１８とＤＤＳ１７をＤＭＡ３領域１３に記録させる。このとき、ＤＦＬ１８が記録された後に、ＤＦＬ記録位置情報２０が更新され、その後、ＤＤＳ１７が記録される。【００９４】
ステップ３０５において、更新処理制御部１６５は、管理情報書き込み部１６４に対してコマンドを送り、ＤＦＬ１８とＤＦＬ記録位置情報２０が更新されたＤＤＳ１７をＤＭＡ４領域１４に記録させる。このとき、ＤＦＬ１８が記録された後に、ＤＦＬ記録位置情報２０が更新され、その後、ＤＤＳ１７が記録される。【００９５】
以上のような手順で、ファイナライズ処理が実行される。これにより、ファイナライズ処理中のどのステップで不慮の電源中断などが発生しても、ファイナライズ済みディスクとして正常に起動することができる状態か、または、ファイナライズ未実施で起動して、再度ファイナライズを正常に実行することができる状態の光ディスクを作成することができる。【００９６】
例えば、アクセスインジケータへの記録が終了する（図５のステップ３０２）前に電源中断が発生した場合には、アクセスインジケータのＤＭＡ記録済み情報１５は記録されていないので、この光ディスクはファイナライズ未実施ディスクとして起動することができる。そして、再度ファイナライズを実行することで、インジケータ領域７およびＤＭＡ２領域１２〜ＤＭＡ４領域１４に記録されている情報から、ファイナライズ済みディスクとして正常に起動することができる。【００９７】
一方、アクセスインジケータへの記録（図５のステップ３０２）が終了した後に電源中断が発生した場合には、インジケータ領域７およびＤＭＡ１領域１１に記録されている情報に基づけば、そのディスクはファイナライズ済みであるとして認識可能である。その結果、正常に起動することができる。ＤＭＡ１に管理情報を記録した直後にアクセスインジケータが記録されていることにより、ＤＭＡ２領域１２からＤＭＡ４領域１４が記録されていなくても問題は生じない。【００９８】
以下、図６を参照しながら、本実施形態によるファイナライズ処理中に不慮の電源中断などが発生したときの、情報の書き込み状態の詳細を説明する。【００９９】
図６は、図５の記録方法でファイナライズを実行した光ディスクの記録状態を示す。図６の（ａ）〜（ｆ）は、図５の（ａ）〜（ｆ）とそれぞれ対応しており、同時点の光ディスクの状態を示す。【０１００】
まず、図５のステップ３０１の実行中に電源中断が発生したときを例に挙げて説明する。【０１０１】
ＤＭＡ１領域１１へのＤＭＡの記録中または記録直後（ステップ３０１）に電源中断が発生した場合、光ディスク１は図６の（ｂ）のように、アクセスインジケータが未記録で、ＤＭＡ１領域１１が記録済みの状態となる。【０１０２】
図７は、この光ディスクから起動し情報を再生するときの処理の手順を示すフローチャートである。【０１０３】
インジケータ読み出し部１６１は、アクセスインジケータの取得を行う（ステップ４０１）。アクセスインジケータにはＤＭＡ記録済み情報１５が記録されていないため、管理情報を取得する対象の領域はＴＤＭＡ領域１０と判定される（ステップ４０２）。【０１０４】
取得処理制御部１６６は、管理情報読み出し部１６３に、ＴＤＭＡ領域１０から管理情報を取得させる（ステップ４０３）。ＴＤＭＡ領域１０から最新の管理情報を取得して、ファイナライズ未実施の光ディスクとして起動完了する（ステップ４０５）。【０１０５】
上位装置が再度ファイナライズ命令を指示すると、命令処理部１１０はファイナライズ命令を受け付け、管理情報処理部１６０はファイナライズ処理を開始する。【０１０６】
ステップ３０１でＤＭＡ１領域１１への管理情報の記録が行われて、ＤＭＡ１領域１１の一部あるいは全部が上書きされる。しかし、追記型光ディスクであるため、上書きされた領域の管理情報は破壊されて再生できない状態となる。【０１０７】
続いて、残りのステップ３０２〜ステップ３０５を実行して、ファイナライズ処理を終了する。【０１０８】
この光ディスク１を図７に示す手順、すなわち通常の追記型ディスクの起動手順で起動すると、インジケータ読み出し部１６１は、アクセスインジケータの取得を行う（ステップ４０１）。ＤＭＡ記録済み情報１５が記録されているため、管理情報を取得する対象の領域はＤＭＡ領域と判定される（ステップ４０２）。【０１０９】
取得処理制御部１６６は、管理情報読み出し部１６３に、ＤＭＡ領域から管理情報を取得させる（ステップ４０７）。【０１１０】
管理情報読み出し部１６３は、ＤＭＡ１領域１１から管理情報の取得を行う（ステップ４０７）。ステップ３０１でＤＭＡ１領域１１の一部が上書きされただけの場合は、ＤＭＡ１領域１１の残りの領域からのＤＤＳ１７とＤＦＬ１８の取得が成功する。ＤＭＡ１領域１１からの管理情報取得が成功すれば、ファイナライズ済みディスクとして起動が正常終了する（ステップ４０９）。【０１１１】
一方、ステップ３０１でＤＭＡ１領域１１の全部が上書きされてしまった場合は、ＤＭＡ１領域１１からのＤＤＳ１７とＤＦＬ１８の取得は失敗する。そこで、ＤＭＡ２領域１２からの管理情報の取得を行う。ステップ３０３でＤＭＡ２領域１２へＤＤＳ１７とＤＦＬ１８が正常に記録できた場合には、管理情報の取得が成功する。ＤＭＡ２領域１２からの管理情報取得が成功したため、ファイナライズ済みディスクとして起動が正常終了する（ステップ４０９）。【０１１２】
このように、ファイナライズ処理中であって特にＤＭＡ２に管理情報を記録する以前に不慮の電源中断などが発生しても、ファイナライズ未実施ディスクとして正常に起動ができて、さらにファイナライズ処理を実行することで、正常にファイナライズができる。【０１１３】
次に、ステップ３０２以降で電源中断が発生した場合について説明する。【０１１４】
インジケータ領域７への記録以降（ステップ３０２〜ステップ３０５）に電源中断が発生した場合、光ディスク１は図６の（ｃ）〜（ｆ）のいずれかの状態となる。【０１１５】
この光ディスク１を図７に示す手順で起動した場合について説明する。【０１１６】
インジケータ読み出し部１６１は、アクセスインジケータの取得を行う（ステップ４０１）。アクセスインジケータにはＤＭＡ記録済み情報１５が記録されているため、管理情報を取得する対象の領域はＤＭＡ領域と判定される（ステップ４０２）。【０１１７】
取得処理制御部１６６は、管理情報読み出し部１６３に、ＤＭＡ領域から管理情報を取得させる（ステップ４０７）。【０１１８】
管理情報読み出し部１６３は、ＤＭＡ１領域１１から管理情報の取得を行う。ＤＭＡ１領域１１にはＤＤＳ１７とＤＦＬ１８が正常に記録されているため、管理情報の取得が成功する。ＤＭＡ１領域１１からの管理情報取得が成功したため、ファイナライズ済みディスクとして起動が正常終了する（ステップ４０９）。【０１１９】
このように、ファイナライズ処理中に不慮の電源中断などが発生しても、ファイナライズ済みディスクとして正常に起動ができる光ディスクを作成することができる。【０１２０】
以上から、本実施形態によれば、ＤＭＡ１の記録後であってＤＭＡ２の記録前にアクセスインジケータの記録を実行することによって、不慮の電源中断などによって、ファイナライズ処理中のどの段階で処理が中断したとしても、ファイナライズ済みディスクとして正常に起動できる状態か、または、ファイナライズ未実施ディスクとして起動ができて、再度ファイナライズ処理を実行することで、正常にファイナライズすることができる状態のディスクを作成することができる。【０１２１】
また、本発明の管理情報更新方法および記録装置によれば、ＤＭＡ１領域１１にＤＦＬ１８とＤＤＳ１７を記録（ステップ３０１）した後に、アクセスインジケータを記録（ステップ３０２）するため、ＤＭＡ１領域１１のＤＦＬ１８記録に失敗してＤＤＳ１７のＤＦＬ記録位置情報２０が変更した場合でも、アクセスインジケータには同じ内容の情報を記録することができる。そのため、再生互換性が低い規格違反状態の光ディスクを作成してしまうことが回避できる。【０１２２】
以上、図４〜図６を参照しながら、本実施形態の管理情報更新方法を説明した。【０１２３】
なお、図５に示される実施形態１の管理情報更新方法では、アクセスインジケータを記録するステップ（ステップ３０２）は、ＤＭＡ１領域１１に管理情報を記録するステップ（ステップ３０１）とＤＭＡ２に管理情報を記録するステップ（ステップ３０３）の間に実行される。【０１２４】
しかし、本発明の管理情報更新方法が図５に示される実施形態に限定されるわけではない。【０１２５】
例えば、アクセスインジケータを記録するステップ（ステップ３０２）は、ＤＭＡ２に管理情報を記録するステップ（ステップ３０３）とＤＭＡ３に管理情報を記録するステップ（ステップ３０４）の間に実行されてもよい。【０１２６】
また、例えば、アクセスインジケータを記録するステップ（ステップ３０２）は、ＤＭＡ３領域１３に管理情報を記録するステップ（ステップ３０４）とＤＭＡ４領域１４に管理情報を記録するステップ（ステップ３０５）の間に実行されてもよい。【０１２７】
なお、アクセスインジケータを記録するステップ（ステップ３０２）をどのステップの後に実行するかは、ＤＭＡ領域への記録後に検査を行い、検査結果から決定しても良い。【０１２８】
さらに、例えば、ＤＭＡ１領域１１への記録（ステップ３０１）が失敗と判定された場合、ＤＭＡ２領域１２への記録（ステップ３０３）を行う。ＤＭＡ２領域１２への記録（ステップ３０３）が成功と判定された場合、アクセスインジケータ領域９に管理情報を記録する（ステップ３０２）という管理情報更新方法でもよい。【０１２９】
本実施形態によれば、たとえばユーザデータ領域へのデータの書き込みが完了した後、ＤＭＡ１への管理情報の記録、インジケータ領域７へのアクセスインジケータ７ａの記録、および、ＤＭＡ２への管理情報の記録が順に行われる。これらは記録媒体の内周方向から外周方向へ向けて順に記録される。したがって、光ヘッドを同じ方向（たとえば内周方向または外周方向）にシークさせればよいため、シーク時間が短縮され、記録完了までの時間を短縮できる。【０１３０】
（実施形態２）
本実施形態においては、背景技術において言及した再生互換性の低い規格違反状態の光ディスクから、管理情報を読み出すための装置および方法等を説明する。たとえば本実施形態による再生装置は、後述する図１３のステップ６０３および６０４、ならびに図１４に示される手順を実行することによって、そのような処理を実現している。以下、本実施形態による再生装置の構成および動作を説明する。【０１３１】
２−１．追記型記録媒体
本実施形態による追記型記録媒体の構造は、実施形態１の光ディスク１の構造と同じである。よってここではその説明を省略する。【０１３２】
２−２．再生装置
図１２は、本実施形態の光ディスク装置５００の構成を示す。【０１３３】
光ディスク装置５００は、Ｉ／Ｏバス５６０に接続されており、Ｉ／Ｏバス５６０は、上位制御装置（図示せず）に接続されている。上位制御装置は、典型的には、ホストコンピュータである。【０１３４】
光ディスク装置５００は、光ディスク１を装着可能に構成されている。光ディスク装置５００は、命令処理部５１０と、制御回路５１５と、管理情報バッファ５３０と、データバッファ５４０と、光ヘッド５６５とを備えている。【０１３５】
命令処理部５１０は上位制御装置からの命令を処理する。管理情報バッファ５３は管理情報を格納する。データバッファ５４０は再生データを一時的に格納する。【０１３６】
制御回路５１５は、命令処理部５１０によって処理された命令に基づいて処理を実行する。たとえば制御回路５１５は、上位制御装置からの再生命令に従って光ヘッド５６５を駆動し、光ディスク１から情報を再生する。【０１３７】
制御回路５１５は、上位制御装置からの命令に応じて、種々の処理を実行する。これは、制御回路５１５が予め保持している種々のコンピュータプログラムを実行することによって実現される。図３に示す制御回路１１５と同様である。制御回路５１５はハードウェアとしてみれば１つの回路であるが、異なるコンピュータプログラムの実行により、あたかも異なる構成要素であるかのように振舞う。【０１３８】
本実施形態においても、説明の便宜のため、制御回路５１５が主要な処理を実行するための構成要素を備えているとして説明する。具体的には、光ディスク１からの情報の再生を制御する再生制御部５２０、および、管理情報に関する処理を行う管理情報処理部５５０である。【０１３９】
管理情報処理部１６０はさらに詳細な機能ごとの構成要素を有するとして捉えることができる。すなわち管理情報処理部５５０は、インジケータ読み出し部５５１と、管理情報読み出し部５５２と、記録済み検査部５５３と、管理情報取得処理を制御する取得処理制御部５５４とを含む。【０１４０】
インジケータ読み出し部５５１は、インジケータ領域７からＤＭＡ記録済み情報１５およびＴＤＭＡ記録済み情報１６を読み出す。【０１４１】
管理情報読み出し部５５２は、ＤＭＡ１領域１１〜ＤＭＡ４領域１４およびＴＤＭＡ領域１０から管理情報を読み出し、管理情報格納バッファ５３０に格納する。【０１４２】
記録済み検査部５５３は、ＤＭＡ１領域１１〜ＤＭＡ４領域１４が記録済みか否かを確認する。【０１４３】
２−３．管理情報取得方法
以下、本実施形態の光ディスク１から管理情報を取得する方法を説明する。【０１４４】
図１３は、本実施形態の管理情報取得処理手順を示すフローチャートである。本実施形態においては、ＤＭＡに有効な情報が記録されているか否かの確認処理が実行される。【０１４５】
以下、図１２および図１３を参照しながら、本実施形態の管理情報取得処理手順を、ステップごとに説明する。【０１４６】
取得処理制御部５５４は、インジケータ読み出し部５５１、管理情報読み出し部５５２および記録済み検査部５５３に、図１３に示す手順で管理情報取得処理を実行させる。【０１４７】
ステップ６０１において、取得処理制御部５５４は、インジケータ読み出し部５５１に、アクセスインジケータのＤＭＡ記録済み情報１５およびＴＤＭＡ記録済み情報１６を取得させる。【０１４８】
ステップ６０２において、取得処理制御部５５４は、アクセスインジケータの取得結果により、ＤＭＡ領域が記録済みかどうかを判断する。ＤＭＡ記録済み情報１５が記録されている場合（Ｙｅｓ）には、取得処理はステップ６０９に進む。ＤＭＡ記録済み情報１５が記録されていない場合（Ｎｏ）には、取得処理はステップ６０３に進む。【０１４９】
ステップ６０３において、取得処理制御部５５４は、記録済み検査部５５３に、ＤＭＡ領域が記録済みか否かを確認させる。【０１５０】
ステップ６０４において、ＤＭＡ領域が記録済みの場合（Ｙｅｓ）には、取得処理はステップ６０９に進む。ＤＭＡ領域が記録済みでない場合（Ｎｏ）には、取得処理はステップ６０５に進む。【０１５１】
ステップ６０５において、取得処理制御部５５４は、管理情報読み出し部５５２に、ＴＤＭＡ領域１０から管理情報を取得させる。【０１５２】
ステップ６０６において、ＴＤＭＡ領域１０から管理情報を取得できた場合（Ｙｅｓ）には、取得処理はステップ６０７に進む。ＴＤＭＡ領域１０から管理情報を取得できなかった場合（Ｎｏ）には、取得処理はステップ６０８に進む。【０１５３】
ステップ６０７において、ＴＤＭＡ領域１０から管理情報を取得できたため、取得処理が正常に終了する。このとき、光ディスク１は、ファイナライズ未実施であると判定される。【０１５４】
ステップ６０８において、管理情報を取得できずに、取得処理が終了する。このとき、光ディスク１は、異常ディスクであると判定される。【０１５５】
ステップ６０９において、管理情報読み出し部５５２に、ＤＭＡ領域から管理情報を取得させる。【０１５６】
ステップ６１０において、ＤＭＡ領域から管理情報を取得できた場合（Ｙｅｓ）には、取得処理はステップ６１１に進む。ＤＭＡ領域から管理情報を取得できなかった場合（Ｎｏ）には、取得処理はステップ６０５に進み、ＴＤＭＡ領域１０から管理情報を取得させる。【０１５７】
ステップ６１１において、ＤＭＡ領域から管理情報を取得できたため、取得処理が正常に終了する。このとき、光ディスク１は、ファイナライズ済みであると判定される。【０１５８】
なお、ＤＭＡ領域から管理情報取得する（ステップ６０９）時は、ＤＭＡ領域が記録済みか否かを確認（ステップ６０３）した結果から、記録済みであると確認したＤＭＡ領域からのみ管理情報の取得を行い、未記録であると確認したＤＭＡ領域からは管理情報の取得を行わないような管理情報取得処理であってもよい。【０１５９】
図１４は、本実施形態のＤＭＡ領域の記録済み確認処理（図１３のステップ６０３）の詳細な手順を示すフローチャートである。【０１６０】
以下、図１２および図１４を参照しながら、本実施形態のＤＭＡ領域の記録済み確認手順をステップごとに説明する。【０１６１】
取得処理制御部５５４は、ステップ７０１〜ステップ７１０の手順で、記録済み検査部５５３に、ＤＭＡ領域が記録済みか否かを確認させる。【０１６２】
ステップ７０１において、取得処理制御部５５４は、記録済み検査部５５３に、ＤＭＡ１領域１１が記録済みか否か確認させる。【０１６３】
ステップ７０２において、ＤＭＡ１領域１１が記録済みの場合（Ｙｅｓ）には、処理はステップ７１０に進む。ＤＭＡ１領域１１が未記録の場合（Ｎｏ）には、処理はステップ７０３に進む。【０１６４】
ステップ７０３において、取得処理制御部５５４は、記録済み検査部５５３に、ＤＭＡ２領域１２が記録済みか否か確認させる。【０１６５】
ステップ７０４において、ＤＭＡ２領域１２が記録済みの場合（Ｙｅｓ）には、処理はステップ７１０に進む。ＤＭＡ２領域１２が未記録の場合（Ｎｏ）には、処理はステップ７０５に進む。【０１６６】
ステップ７０５において、取得処理制御部５５４は、記録済み検査部５５３に、ＤＭＡ３領域１３が記録済みか否か確認させる。【０１６７】
ステップ７０６において、ＤＭＡ３領域１３が記録済みの場合（Ｙｅｓ）には、処理はステップ７１０に進む。ＤＭＡ３領域１３が未記録の場合（Ｎｏ）には、処理はステップ７０７に進む。【０１６８】
ステップ７０７において、取得処理制御部５５４は、記録済み検査部５５３に、ＤＭＡ４領域１４が記録済みか否か確認させる。【０１６９】
ステップ７０８において、ＤＭＡ４領域１４が記録済みの場合（Ｙｅｓ）には、処理はステップ７１０に進む。ＤＭＡ４領域１４が未記録の場合（Ｎｏ）には、処理はステップ７０９に進む。【０１７０】
ステップ７０９において、ＤＭＡ領域は未記録と判定される。【０１７１】
ステップ７１０において、ＤＭＡ領域は記録済みと判定される。【０１７２】
以上のような手順で、管理情報取得処理が実行される。ＤＭＡ記録済み情報１５が記録されていない場合にＤＭＡ領域が記録済みか否かを確認するため、ファイナライズ処理中に不慮の電源中断などが発生して、アクセスインジケータが記録されなかった光ディスクを起動した場合でも、ＤＭＡ領域から管理情報を取得することができる。【０１７３】
以下に、図１３を参照しながら、図８に示す手順でファイナライズ処理を行い、ファイナライズ処理中に電源中断が発生した光ディスクを起動する場合を例にとって説明する。【０１７４】
ＤＭＡ１領域１１に管理情報を記録中に電源中断が発生して、ＤＭＡ１領域１１にはＤＤＳ１７およびＤＦＬ１８が記録できていない場合について説明する。【０１７５】
この光ディスク１を起動すると、アクセスインジケータにはＤＭＡ記録済み情報１５が記録されていない。そこで光ディスク装置はＤＭＡ領域が記録済みか否かを確認する（ステップ６０３）。ＤＭＡ１領域１１の一部が記録済みであるため、光ディスク装置はＤＭＡ領域が記録済みであると判定し、ＤＭＡ領域から管理情報を取得する（ステップ６０９）。ＤＭＡ領域にはＤＤＳ１７およびＤＦＬ１８が記録されていないため、ＤＭＡ領域からの管理情報の取得は失敗し、光ディスク装置はＴＤＭＡ領域１０から管理情報を取得する（ステップ６０５）。光ディスク装置はＴＤＭＡ領域１０から管理情報を取得し、ファイナライズ未実施ディスクと判定して取得処理を終了する（ステップ６０７）。【０１７６】
なお、ＤＭＡ１領域１１の記録済み確認で、ＤＭＡ１領域１１の全てが記録済みでない場合は未記録と判定してもよい。このとき、ＤＭＡ領域は未記録と判定され、ＴＤＭＡ領域１０から管理情報を取得する（ステップ６０５）。【０１７７】
次に、ＤＭＡ１領域１１の記録が完了した後に、電源中断が発生した場合について説明する。【０１７８】
この光ディスク１を起動すると、アクセスインジケータにはＤＭＡ記録済み情報１５が記録されていない。そこで光ディスク装置はＤＭＡ領域が記録済みか否かを確認する（ステップ６０３）。ＤＭＡ１領域１１が記録済みであるため、光ディスク装置はＤＭＡ領域は記録済みであると判定し、ＤＭＡ領域から管理情報を取得する（ステップ６０９）。ＤＭＡ１領域１１には、ＤＤＳ１７およびＤＦＬ１８が記録されているため、ＤＭＡ領域からの管理情報取得は成功し、ファイナライズ済みディスクとして取得処理が終了する（ステップ６１１）。【０１７９】
このように、本実施形態によれば、ＤＭＡ領域が記録済みか否かを確認するため、ＤＭＡ記録済み情報１５が記録されていなくても、ＤＭＡ領域が記録されている場合はＤＭＡ領域から管理情報を取得して、ファイナライズ済みディスクとして起動することができる。また、ＤＭＡ領域が記録されていない場合は、ＴＤＭＡ領域から管理情報を取得して、ファイナライズ未実施ディスクとして起動して、再度ファイナライズを正常に実行することができる。【０１８０】
（実施形態３）
本実施形態においては、背景技術において言及した再生互換性の低い規格違反状態の光ディスクから、管理情報を読み出すための装置および方法等を説明する。当該光ディスクの典型的な例は後述する図１６（ｃ）および（ｄ）に記載されているとおりである。再生装置は図１５に示す手順を実行することによって、そのような処理を実現している。以下、本実施形態による再生装置の構成および動作を説明する。【０１８１】
３−１．追記型記録媒体
本実施形態の追記型記録媒体は、インジケータ領域７とＴＤＭＡ領域１０を除いて、実施形態１と同様である。したがって、以下ではインジケータ領域７とＴＤＭＡ領域１０を詳細に説明し、それら以外の説明は省略する。【０１８２】
図１７は、本実施形態のＴＤＭＡ領域１０のデータ構造の一例を示す。ＴＤＭＡ領域１０は、複数の領域（例えば、ＴＤＭＡ０領域３０、ＴＤＭＡ１領域３１およびＴＤＭＡ２領域３２）から成る。ＴＤＭＡ領域１０には、最新のＤＤＳ１７およびＤＦＬ１８がＴＤＭＡ０領域３０先頭から、ＴＤＭＡ１領域３１、ＴＤＭＡ２領域３２の順番で管理情報が記録される。【０１８３】
図１８は、本実施形態のアクセスインジケータのデータ構造の一例を示す。ＴＤＭＡ記録済み情報１６には、ＴＤＭＡ１記録済み情報４１やＴＤＭＡ２記録済み情報４２が記録される。例えば、ＴＤＭＡ１記録済み情報４１が記録されている時は、ＴＤＭＡ１領域３１に最新の管理情報が記録されていることを示す。【０１８４】
３−２．再生装置
本実施形態の光ディスク再生装置は、実施形態２の光ディスク再生装置と同様であるので、ここではその説明を省略する。【０１８５】
３−３．管理情報取得方法
図１５は、本実施形態の管理情報取得処理手順を示すフローチャートである。この処理は、本実施形態による再生装置によって実行される。本実施形態においては、再生装置はＴＤＭＡに有効な情報が記録されているか否かの確認処理を実行する。【０１８６】
以下、図１２および図１５を参照しながら、本実施形態の管理情報取得処理手順を、ステップごとに説明する。【０１８７】
取得処理制御部５５４は、インジケータ読み出し部５５１、管理情報読み出し部５５２および記録済み検査部５５３に、図１５に示す手順でＴＤＭＡ領域１０から管理情報取得処理を実行させる。【０１８８】
取得処理制御部５５４は、インジケータ読み出し部５５１にアクセスインジケータからＴＤＭＡ記録済み情報１６を取得させて、管理情報を取得する対象のＴＤＭＡ領域１０を決定する。【０１８９】
ステップ８０１において、管理情報を取得する対象のＴＤＭＡ領域１０はＴＤＭＡ（ｎ）であると決定したとき、記録済み検査部５５３に、ＴＤＭＡ（ｎ）領域の記録済み確認を実行させる。【０１９０】
ステップ８０２において、ＴＤＭＡ（ｎ）領域の記録済み確認の結果から、管理情報を取得する対象のＴＤＭＡ領域１０を決定する。ＴＤＭＡ（ｎ）領域全体が未記録の場合は、取得処理はステップ８０３に進む。ＴＤＭＡ（ｎ）領域の一部分のみが記録済みの場合は、取得処理はステップ８０４に進む。ＴＤＭＡ（ｎ）領域全体が記録済みの場合は、取得処理はステップ８０５に進む。【０１９１】
ステップ８０５において、記録済み検査部５５３に、ＴＤＭＡ（ｎ＋１）領域の記録済み確認を実行させる。【０１９２】
ステップ８０６において、ＴＤＭＡ（ｎ＋１）領域が未記録の場合（Ｙｅｓ）は、取得処理はステップ８０４に進む。ＴＤＭＡ（ｎ＋１）領域が記録済みの場合（Ｎｏ）は、取得処理はステップ８０７に進む。【０１９３】
ステップ８０３において、管理情報読み出し部５５２に、ＴＤＭＡ（ｎ−１）領域から管理情報を取得させる。【０１９４】
ステップ８０４において、管理情報読み出し部５５２に、ＴＤＭＡ（ｎ）領域から管理情報を取得させる。【０１９５】
ステップ８０７において、管理情報読み出し部５５２に、ＴＤＭＡ（ｎ＋１）領域から管理情報を取得させる。【０１９６】
ステップ８０８において、管理情報を取得できなかった場合（Ｎｏ）は、取得処理は失敗となる（ステップ８０９）。管理情報を取得できた場合（Ｙｅｓ）は、取得処理は成功となる（ステップ８１０）。【０１９７】
なお、ステップ８０２で決定した管理情報を取得する対象の領域から管理情報を取得できなかった場合は、別の領域から取得処理を実行してもよい。例えば、ＴＤＭＡ（ｎ）領域からの取得が失敗した場合は、ＴＤＭＡ（ｎ−１）領域から管理情報を取得してもよい。【０１９８】
以上のような手順で、ＴＤＭＡ領域１０からの管理情報取得処理が実行される。管理情報を取得する対象のＴＤＭＡ領域が記録済みか否かを確認するため、ＴＤＭＡ領域１０およびインジケータ領域７への管理情報更新中に電源中断などが発生して、ＴＤＭＡ記録済み情報１６の内容が正しくない光ディスクでも、正常に最新の管理情報を取得することができる。【０１９９】
以下に、図１５および図１６を参照しながら、ＴＤＭＡ記録済み情報１６の内容が正しくない状態の光ディスクを起動再生した場合について詳細に説明する。【０２００】
図１６は、インジケータ領域７とＴＤＭＡ領域１０記録状態を示す。インジケータ領域７のＴＤＭＡ記録済み情報１６が、ＴＤＭＡ１領域３１は記録済みで、ＴＤＭＡ２領域３２は未記録であると示している状態を示す。この場合の、ＴＤＭＡ領域１０の記録状態は、図１６の（ａ）〜（ｄ）の状態があり得る。【０２０１】
（ａ）ＴＤＭＡ領域１０は、ＴＤＭＡ０領域３０全体が記録済みで、ＴＤＭＡ１領域３１の一部分が記録済みで、ＴＤＭＡ２領域３２全体が未記録である。ＴＤＭＡ１領域３１に最新の管理情報を記録した場合で、これは正常な記録状態である。【０２０２】
（ｂ）ＴＤＭＡ領域１０は、ＴＤＭＡ０領域３０およびＴＤＭＡ１領域３１全体が記録済みで、ＴＤＭＡ２領域３２全体が未記録である。ＴＤＭＡ１領域３１の終端に最新の管理情報を記録した場合で、これは正常な記録状態である。【０２０３】
（ｃ）ＴＤＭＡ領域１０は、ＴＤＭＡ０領域３０全体が記録済みで、ＴＤＭＡ１領域３１およびＴＤＭＡ２領域３２全体が未記録である。例えば、ＴＤＭＡ１領域３１へ記録する前にインジケータ領域７への記録を行い、その直後に電源中断が発生した場合に、このような記録状態となる。【０２０４】
（ｄ）ＴＤＭＡ領域１０は、ＴＤＭＡ０領域３０およびＴＤＭＡ１領域３１全体が記録済みで、ＴＤＭＡ２領域３２の一部分が記録済みである。例えば、インジケータ領域７へ記録する前にＴＤＭＡ２領域３２への記録を行い、その直後に電源中断が発生した場合に、このような記録状態となる。【０２０５】
本実施形態の管理情報取得手順は、管理情報の更新途中で電源中断などが発生した図１６の（ｃ）や（ｄ）のような記録状態の光ディスクでも、管理情報を取得する対象のＴＤＭＡ領域が記録済みか否かを確認するため、正常に管理情報を取得することができる。【０２０６】
図１６の（ｃ）の状態の光ディスクから管理情報を取得する場合について説明する。【０２０７】
ＴＤＭＡ記録済み情報１６は、ＴＤＭＡ１領域３１が記録済みと示しているため、ＴＤＭＡ１領域３１の記録済み確認が実行される（ステップ８０１）。ＴＤＭＡ１領域３１は全て未記録であるため、管理情報を取得する対象の領域はＴＤＭＡ０領域３０に決定される（ステップ８０２）。ＴＤＭＡ０領域３０から管理情報が取得される（ステップ８０３）。ＴＤＭＡ０領域３０には最新の管理情報が記録されているため、管理情報取得処理が成功して取得処理は完了する（ステップ８１０）。【０２０８】
次に、図１６の（ｄ）の状態の光ディスクから管理情報を取得する場合について説明する。【０２０９】
ＴＤＭＡ記録済み情報１６は、ＴＤＭＡ１領域３１が記録済みと示しているため、ＴＤＭＡ１領域３１の記録済み確認が実行される（ステップ８０１）。ＴＤＭＡ１領域３１は全て記録済みであるため、ＴＤＭＡ２領域３２が記録済みか否かの確認される（ステップ８０５）。ＴＤＭＡ２領域３２は記録済みのため、ＴＤＭＡ２領域３２から管理情報が取得される（ステップ８０７）。ＴＤＭＡ２領域３２には最新の管理情報が記録されているため、管理情報取得処理が成功して取得処理は完了する（ステップ８１０）。【０２１０】
なお、ＴＤＭＡ１領域３１が全て記録済みであったとき、ＴＤＭＡ１領域３１の終端から管理情報を取得した後に、ＴＤＭＡ２領域３２からの管理情報取得処理を行ってもよい。【０２１１】
このように、本実施形態によれば、管理情報更新中に不慮の電源中断などが発生して、アクセスインジケータ（領域記録済み情報）が正しい状態を示していない光ディスクでも、正常に管理情報を取得することができる。【０２１２】
上述の実施形態においては、制御回路１１５および５１５が、コンピュータプログラムを実行することによって種々の動作を行うとして説明した。そのようなコンピュータプログラムは製品としてＣＤ−ＲＯＭ等の光ディスク、メモリカード等の半導体メモリなどに代表される記録媒体に記録されて市場に流通され、または、インターネット等の電気通信回線を通じて伝送される。【０２１３】
このような制御回路１１５および５１５は、半導体回路にコンピュータプログラムを組み込んだＤＳＰ、チップ回路、光ディスクコントローラ等のハードウェアとして実現することも可能であるし、メモリ上に展開されたコンピュータプログラムを汎用のプロセッサに実行させることによって実現することも可能である。【０２１４】
なお、たとえば図３においては、制御回路１１５と命令処理部１１０とを異なる構成要素としたが、命令処理部１１０の機能を制御回路１１５に組み込んでもよい。このとき命令処理部１１０の機能もまた、制御回路１１５において実行されるコンピュータプログラムによって実現することができる。図１２についても同様である。【０２１５】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【０２１６】
本発明は、停電の頻度が高い劣悪な環境下において重要な情報を蓄積しなければならないような場合等に有効である。たとえば、安定した電力が供給されにくく、かつ、衝撃が加えられて故障が生じやすいラップトップＰＣなどの機器において、光ディスクに情報を記録する際に有用である。
【図１】
2008038698.tif 000003
【図２】
2008038698.tif 000004
【図３】
2008038698.tif 000005
【図４】
2008038698.tif 000006
【図５】
2008038698.tif 000007
【図６】
2008038698.tif 000008
【図７】
2008038698.tif 000009
【図８】
2008038698.tif 000010
【図９】
2008038698.tif 000011
【図１０】
2008038698.tif 000012
【図１１】
2008038698.tif 000013
【図１２】
2008038698.tif 000014
【図１３】
2008038698.tif 000015
【図１４】
2008038698.tif 000016
【図１５】
2008038698.tif 000017
【図１６】
2008038698.tif 000018
【図１７】
2008038698.tif 000019
【図１８】
2008038698.tif 000020
【図１９】
2008038698.tif 000021
【図２０】
2008038698.tif 000022
【手続補正書】
【提出日】平成20年12月1日(2008.12.1)
【手続補正１】
【補正対象書類名】特許請求の範囲
【補正対象項目名】全文
【補正方法】変更
【補正の内容】
【特許請求の範囲】
【請求項１】
記録面上に、順に、ユーザデータ領域、第１管理情報領域、インジケータ領域および第２管理情報領域が設けられた追記型の記録媒体に情報を記録する記録装置であって、
光ヘッドと、
前記光ヘッドに対して情報の記録を指示する制御部と
を備え、前記制御部は、管理情報を前記第１管理情報領域に記録するよう指示し、前記管理情報が記録されたか否かを示すインジケータ情報を前記インジケータ領域に記録するよう指示し、前記第１管理情報領域に記録されたと同じ管理情報を前記第２管理情報領域に記録するよう指示する、記録装置。
【請求項２】
前記追記型記録媒体には、最新の管理情報が追加的に記録される一時的管理情報領域がさらに設けられており、
前記記録媒体のファイナライズ処理の実行時において、前記制御部は、前記一時的管理情報領域に記録されている前記最新の管理情報を、前記第１管理情報領域および前記第２管理情報領域に記録するよう指示する、請求項１に記載の記録装置。
【請求項３】
前記制御部は、前記管理情報に記録される情報の一部を、さらに前記インジケータ領域に記録するよう指示する、請求項２に記載の記録装置。
【請求項４】
前記制御部は、前記一時的管理情報領域に前記最新の管理情報が追加的に記録されたことを示す情報を、さらに前記インジケータ領域に記録するよう指示する、請求項２に記載の記録装置。
【請求項５】
前記制御部は、ユーザデータを前記ユーザデータ領域に記録するよう指示し、その後、前記ファイナライズ処理を実行する、請求項２に記載の記録装置。
【請求項６】
記録面上に、順に、ユーザデータ領域、第１管理情報領域、インジケータ領域および第２管理情報領域が設けられた追記型の記録媒体に情報を記録する記録方法であって、
（ａ）管理情報を前記第１管理情報領域に記録するステップと、
（ｂ）前記ステップ（ａ）の後に、前記管理情報が記録されたか否かを示すインジケータ情報を前記インジケータ領域に記録するステップと、
（ｃ）前記ステップ（ｂ）の後に、前記第１管理情報領域に記録されたと同じ管理情報を前記第２管理情報領域に記録するステップと
を包含する記録方法。
【請求項７】
光ヘッドを備えた記録装置に組み込まれて、追記型の記録媒体に情報を記録するよう前記光ヘッドに指示する制御回路であって、
前記記録媒体には、記録面上に、順に、ユーザデータ領域、第１管理情報領域、インジケータ領域および第２管理情報領域が設けられており、
前記制御回路は、
前記光ヘッドに対して管理情報の記録を指示する記録制御部と、
管理情報を生成する管理情報処理部と
を備えており、前記記録制御部は前記光ヘッドに対して、前記管理情報処理部によって生成された管理情報を、前記第１管理情報領域に記録するよう指示し、前記管理情報が記録されたか否かを示すインジケータ情報を前記インジケータ領域に記録するよう指示し、前記第１管理情報領域に記録されたと同じ管理情報を前記第２管理情報領域に記録するよう指示する、制御回路。
【手続補正２】
【補正対象書類名】明細書
【補正対象項目名】全文
【補正方法】変更
【補正の内容】
【発明の詳細な説明】
【技術分野】
【０００１】
本発明は、追記型記録媒体に情報を記録する記録装置および記録方法、追記型記録媒体から情報を再生する再生装置および再生方法に関する。
【背景技術】
【０００２】
複数の装置の間で交換可能な情報記録媒体として光ディスクが良く知られている。光ディスクには、大別して、再生専用型、追記型および書換型の３種類がある。追記型光ディスクには、媒体上の同じ場所には一度だけデータを書き込むことができる。例えば、ＣＤ−ＲおよびＤＶＤ−Ｒが追記型光ディスクである。書換型光ディスクには、媒体上の同じ場所に何回もデータを書き込むことができる。例えば、ＣＤ−ＲＷおよびＤＶＤ−ＲＡＭが書換型光ディスクである。
【０００３】
光ディスクは、交換可能な情報記録媒体であるため、たとえば交換時や交換中に表面に傷がついたり、埃が付着することがある。傷や埃は、記録面に存在する欠陥として取り扱われる。従って、記録再生される情報の信頼性保障のために欠陥管理を行う必要がある。
【０００４】
従来の欠陥管理方法として、たとえば特許文献１は、書換型光ディスク（例えばＤＶＤ−ＲＡＭ）の内周側と外周側との所定の位置にそれぞれ２個ずつ（合計４個）の、欠陥の管理情報領域（Ｄｅｆｅｃｔ  Ｍａｎａｇｅｍｅｎｔ  Ａｒｅａ；ＤＭＡ）を割り付け、これらの管理情報領域にディスクの構造を定義したＤＤＳ（Ｄａｔａ  Ｄｅｆｉｎｉｔｉｏｎ  Ｓｔｒｕｃｔｕｒｅ）と欠陥管理リストＤＦＬ（Ｄｅｆｅｃｔ  Ｌｉｓｔ）を記録する方法を開示している。
【０００５】
従来、再生専用型光ディスクからのデータの読み出しにのみ対応する光ディスク再生装置（例えば、ＤＶＤプレーヤ）からデータを読み出せるようにするために、追記型光ディスクにはファイナライズ処理が行われる必要があった。追記型光ディスクがファイナライズされることで、再生専用型光ディスクのデータ構造と互換のあるデータ構造になり、追記可能な状態から追記不可能な状態へ変化する。
【０００６】
近年、ハイビジョン等の高品質なビデオのデータを格納するために好適な、大容量の光ディスクであるブルーレイディスクの規格化および開発が進められている（たとえば非特許文献１）。高品質、大容量であるが故に、追記型ブルーレイディスクにも強力な欠陥管理が適用される。
【０００７】
追記型ブルーレイディスクは、書換型ブルーレイディスクとの互換性が考慮されており、ファイナライズによって追記可能な状態から追記不可能な状態に変更された時に、書換型ブルーレイディスクと同じ管理情報のデータ配置およびデータ構造になるように規格が定められている。つまり、追記型ブルーレイディスクは、管理情報をＤＭＡ領域に記録することによってファイナライズが行われ、書換型ブルーレイディスクのデータ構造と互換性のあるデータ構造になり、しかも追記可能な状態から追記不可能な状態に固定される。
【０００８】
図１９は、従来の光ディスクの構成を示す。
【０００９】
光ディスク２１は円盤状の基盤に、スパイラル状のトラック溝２２が形成されて構成されている。トラック溝２２には、複数のブロック２３が形成されている。ブロック２３は、エラー訂正の単位であり、同時に情報の記録および情報の再生のための最小の単位である。
【００１０】
光ディスク２１は、リードイン領域２４と、ユーザデータ領域２５と、リードアウト領域２６とを有する。ユーザデータの書き込みおよび読み出しはユーザデータ領域２５に対して行われる。
【００１１】
リードイン領域２４およびリードアウト領域２６は、光ヘッド（図示せず）がユーザデータ領域２５の端にアクセスする場合に、光ヘッドがユーザデータ領域２５からオーバーランしてもトラッキングができるようにトラック溝が設けられた冗長な領域である。リードイン領域２４およびリードアウト領域２６は、ユーザーによるアクセス（所定アドレスにおける記録又は再生）が許可された領域ではない。しかしながら、それらの一方または双方の一部に、管理データ等が書き込まれることがある。
【００１２】
リードイン領域２４には、管理情報領域２８ａおよび２８ｂ、インジケータ領域２７および一時的管理情報領域２９が設けられる。管理情報領域２８ａおよび２８ｂには、光ディスク２１の記録状態を管理するための管理情報が記録される。インジケータ領域２７には、管理情報領域２８および一時的管理情報領域２９が記録済みか否かを示すインジケータ情報が記録される。
【００１３】
リードアウト領域２６には、管理情報領域２８ｃが設けられている。管理情報領域２８ｃは、光ディスク２１の記録状態を管理する管理情報が記録される。
【００１４】
図２０は、従来の追記型ディスクのデータ構造を示す。図２０の左端には、図１９において説明したインジケータ領域２７、管理情報領域２８ａ〜２８ｃおよび一時的管理情報領域２９が示されている。
【００１５】
インジケータ領域２７は、アクセスインジケータ２７ａを有する。アクセスインジケータ２７ａは、ＤＭＡ記録済み情報３５およびＴＤＭＡ記録済み情報３６を含む。ＤＭＡ記録済み情報３５は、ＤＭＡ１領域３１に記録されるＤＤＳ３７のコピー３９である。
【００１６】
管理情報領域２８ａ〜２８ｃには、ファイナライズ時に管理情報を記録するためのＤＭＡ１領域３１、ＤＭＡ２領域３２、ＤＭＡ３領域３３およびＤＭＡ４領域３４が分散して配置されている。それぞれの領域には、ディスクの管理情報（ＤＤＳ３７およびＤＦＬ３８）が記録される。
【００１７】
１つのＤＭＡ領域にはＤＦＬ３８が同じ内容で多重記録される。ＤＤＳ３７はＤＦＬ記録位置情報４０を有する。ＤＦＬ記録位置情報４０は、正常に再生することができるＤＦＬ３８の記録位置を示す。
【００１８】
一時的管理情報領域２９は、ファイナライズするまでに管理情報を一時的に記録するためのＴＤＭＡ領域３０を有する。ＴＤＭＡ領域３０には、より新しいＤＤＳ３７およびＤＦＬ３８が記録される。
【００１９】
図７は、管理情報を取得する手順の一例を示すフローチャートである。従来の光ディスク装置は、光ディスクが装着されるとアクセスインジケータ２７ａを取得し（ステップ４０１）、管理情報を取得する対象となる領域を決定する（ステップ４０２）。
【００２０】
ＤＭＡ記録済み情報３５が記録されていなくて、ＴＤＭＡ記録済み情報３６が記録されていれば、光ディスク装置はＴＤＭＡ領域３０から管理情報を取得する（ステップ４０３）。ＴＤＭＡ領域３０から管理情報が取得できた場合は、光ディスク装置は、装着された光ディスクはファイナライズ未実施であると判定する（ステップ４０５）。管理情報が取得できなかった場合は、光ディスク装置は、装着された光ディスクは異常ディスクであると判定する（ステップ４０６）。
【００２１】
一方、ＤＭＡ記録済み情報３５が記録されていれば、光ディスク装置は、ＤＭＡ領域（ＤＭＡ１領域３１〜ＤＭＡ４領域３４）から管理情報を取得する（ステップ４０７）。管理情報が取得できた場合は、光ディスク装置は、装着された光ディスクはファイナライズ済みディスクであると判定し（ステップ４０９）、管理情報が取得できなかった場合は、装着された光ディスクは異常ディスクであると判定する（ステップ４０６）。
【００２２】
次にファイナライズ処理を説明する。以下のファイナライズ処理の手順は、既存の光ディスク装置が実際に実行しているとして挙げるものではなく、そのような処理が考えられる、ということの一例として説明する。
【００２３】
図８および図１０は、ファイナライズ処理の手順の一例を示すフローチャートである。
【００２４】
従来の光ディスク装置においては、上位制御装置からファイナライズ命令を受けてファイナライズ処理が実行される。光ディスクのファイナライズ処理は、ＤＭＡ１領域３１〜ＤＭＡ４領域３４に管理情報を記録するステップ（Ａ）と、アクセスインジケータ２７ａ（ＤＭＡ記録済み情報３５）を記録するステップ（Ｂ）とを実行することによって実現される。例えば、特許文献２はそのような処理を開示している。
【００２５】
図８は、ＤＭＡ１領域３１〜ＤＭＡ４領域３４に管理情報を記録するステップ（Ａ）を実行した後に、アクセスインジケータ２７ａを記録するステップ（Ｂ）を実行するファイナライズ処理の手順を示すフローチャートである。
【００２６】
図９は、図８の記録方法でファイナライズを実行した光ディスクの記録状態を示す。図９の（ａ）〜（ｆ）は図８の（ａ）〜（ｆ）とそれぞれ対応しており、同時点の光ディスクの状態を示す。
【００２７】
図１０は、アクセスインジケータ２７ａを記録するステップ（Ｂ）の後に、ＤＭＡ１領域３１〜ＤＭＡ４領域３４に管理情報を記録するステップ（Ａ）を実行するファイナライズ処理の手順を示すフローチャートである。
【特許文献１】特開平５−２８３７号公報
【特許文献２】特開２００５−２７６４３３号公報
【非特許文献１】White Paper BD-R Physical Specifications，２００６年２月（ＵＲＬ；http://www.blu-raydisc.com/assets/downloadablefile/BD-R_Physical_3rd_edition_0602f1-13322.pdf）
【発明の開示】
【発明が解決しようとする課題】
【００２８】
しかしながら、図８および図１０で示すファイナライズ処理を行うとすると、不慮の電源中断、その他の原因によるＤＭＡ領域の記録に失敗した場合に、ＤＭＡ領域から管理情報が再生できない光ディスクや、再生互換性がない（または低い）規格違反の光ディスクが作成されてしまう。
【００２９】
たとえば、図８で示した手順でファイナライズ処理を行うときにおいて、ファイナライズ処理途中で不慮の電源中断、または重大な書込エラーなどが発生したとする。
【００３０】
ステップ（Ａ）すなわちＤＭＡの記録が完了した後に不慮の電源中断などが発生したとすると、光ディスクは図９（ｅ）すなわちアクセスインジケータは未記録でしかもＤＭＡ記録が完了という状態になる。光ディスク装置は、この光ディスクを起動するとＤＭＡ記録済み情報１５が未記録であるためファイナライズ未実施の光ディスクと判定する。この光ディスクが再度ファイナライズされると、ＤＭＡ領域が全て上書きされて管理情報が再生できない状態になる可能性がある。
【００３１】
次に、図１０で示した手順でファイナライズ処理を行うときにおいて、ＤＭＡ１領域３１のＤＦＬ３８の記録に失敗したとする。
【００３２】
はじめに、光ディスク装置は、アクセスインジケータ２７ａを記録する（ステップ（Ｂ））。このとき光ディスク装置は、ＤＭＡ記録済み情報３５に対し、ＤＦＬ記録位置情報４０がＤＭＡ１領域３１内のＤＦＬ３８を記録する領域の先頭の位置（ＤＦＬ＃１）を示すよう設定してから記録する。
【００３３】
次に光ディスク装置は、ＤＭＡ１領域３１にＤＦＬ３８およびＤＤＳ３７を記録する（ステップ（Ａ））。このとき、光ディスク装置は、まずＤＦＬ３８をＤＦＬ＃１からＤＦＬ＃７に記録する。そして光ディスク装置は、ＤＤＳ３７に対し、ＤＦＬ記録位置情報４０がＤＦＬ３８が正しく再生できる先頭の位置を示すように設定して、ＤＤＳ３７を記録する。たとえば、ＤＦＬ＃１の記録に失敗してＤＦＬ＃２への記録は成功した場合には、ＤＤＳ３７のＤＦＬ記録位置情報４０はＤＦＬ＃２を示すことになる。
【００３４】
このように、ＤＭＡ１領域３１のＤＤＳ３７と、アクセスインジケータ領域２９に記録されたＤＭＡ記録済み情報３５との間で、ＤＦＬ記録位置情報４０の内容が異なることが生じ得る。アクセスインジケータ領域２９のＤＭＡ記録済み情報３５がＤＭＡ１のＤＤＳ３７と同じ内容を記録することが規格上定められているような場合には、この光ディスクは規格違反になる。その結果、当該規格に対応した装置が処理できなくなって動作が停止し、再生互換性が低下するという課題がある。
【００３５】
本発明の目的は、ファイナライズ処理が完了する前に不慮の電源中断や重大な書込エラーなどが発生した場合でも、ファイナライズ済みディスクとして認識される光ディスクを作成すること、および、再生互換性の低い規格違反状態の光ディスクを作成することがないファイナライズ処理を実行可能な管理情報更新装置および管理情報更新方法を提供することである。
【００３６】
また、本発明の他の目的は、管理情報領域への情報の記録中に電源中断などが発生し、更新処理が完了しなかった光ディスクであっても、その光ディスクから正常に管理情報を取得可能な管理情報取得装置および管理情報を取得する方法を提供することである。
【課題を解決するための手段】
【００３７】
本発明による記録装置は、記録面上に、順に、ユーザデータ領域、第１管理情報領域、インジケータ領域および第２管理情報領域が設けられた追記型の記録媒体に情報を記録する。前記記録装置は、光ヘッドと、前記光ヘッドに対して情報の記録を指示する制御部とを備えている。前記制御部は、管理情報を前記第１管理情報領域に記録するよう指示し、前記管理情報が記録されたか否かを示すインジケータ情報を前記インジケータ領域に記録するよう指示し、前記第１管理情報領域に記録されたと同じ管理情報を前記第２管理情報領域に記録するよう指示する。
【００３８】
前記追記型記録媒体には、最新の管理情報が追加的に記録される一時的管理情報領域がさらに設けられており、前記記録媒体のファイナライズ処理の実行時において、前記制御部は、前記一時的管理情報領域に記録されている前記最新の管理情報を、前記第１管理情報領域および前記第２管理情報領域に記録するよう指示してもよい。
【００３９】
前記制御部は、前記管理情報に記録される情報の一部を、さらに前記インジケータ領域に記録するよう指示してもよい。
【００４０】
前記制御部は、前記一時的管理情報領域に前記最新の管理情報が追加的に記録されたことを示す情報を、さらに前記インジケータ領域に記録するよう指示してもよい。
【００４１】
前記制御部は、ユーザデータを前記ユーザデータ領域に記録するよう指示し、その後、前記ファイナライズ処理を実行してもよい。
【００４２】
本発明による記録方法は、記録面上に、順に、ユーザデータ領域、第１管理情報領域、インジケータ領域および第２管理情報領域が設けられた追記型の記録媒体に情報を記録するために実行される。前記記録方法は、（ａ）管理情報を前記第１管理情報領域に記録するステップと、（ｂ）前記ステップ（ａ）の後に、前記管理情報が記録されたか否かを示すインジケータ情報を前記インジケータ領域に記録するステップと、（ｃ）前記ステップ（ｂ）の後に、前記第１管理情報領域に記録されたと同じ管理情報を前記第２管理情報領域に記録するステップとを包含する。
【００４３】
本発明による制御回路は、光ヘッドを備えた記録装置に組み込まれて、追記型の記録媒体に情報を記録するよう前記光ヘッドに指示する。前記記録媒体には、記録面上に、順に、ユーザデータ領域、第１管理情報領域、インジケータ領域および第２管理情報領域が設けられている。前記制御回路は、前記光ヘッドに対して管理情報の記録を指示する記録制御部と、管理情報を生成する管理情報処理部とを備えている。前記記録制御部は前記光ヘッドに対して、前記管理情報処理部によって生成された管理情報を、前記第１管理情報領域に記録するよう指示し、前記管理情報が記録されたか否かを示すインジケータ情報を前記インジケータ領域に記録するよう指示し、前記第１管理情報領域に記録されたと同じ管理情報を前記第２管理情報領域に記録するよう指示する。
【００４４】
本発明によるコンピュータプログラムは、光ヘッドを備えた記録装置に組み込まれた制御回路によって実行され、追記型の記録媒体に情報を記録するよう前記光ヘッドを制御するために利用される。前記記録媒体には、記録面上に、順に、ユーザデータ領域、第１管理情報領域、インジケータ領域および第２管理情報領域が設けられている。前記コンピュータプログラムは前記制御回路に対して、（ａ）管理情報を前記第１管理情報領域に記録するステップと、（ｂ）前記ステップ（ａ）の後に、前記管理情報が記録されたか否かを示すインジケータ情報を前記インジケータ領域に記録するステップと、（ｃ）前記ステップ（ｂ）の後に、前記第１管理情報領域に記録されたと同じ管理情報を前記第２管理情報領域に記録するステップとを実行させる。
【００４５】
本発明による第１の再生装置は、記録面上に、第１管理情報領域、インジケータ領域および第２管理情報領域が設けられた追記型の記録媒体から情報を再生する。前記インジケータ領域は、前記第１管理情報領域および前記第２管理情報領域の少なくとも一方に、管理情報が記録されているか否かを示すインジケータ情報が記録される領域である。前記再生装置は、光ヘッドと、前記光ヘッドに対して情報の再生を指示する制御部とを備えている。前記制御部は、前記インジケータ領域に前記インジケータ情報が記録されているか否かにかかわらず、前記管理情報領域にアクセスするよう前記光ヘッドに指示し、前記管理情報領域のうち少なくとも１つが有効な情報を持つか否かを確認し、存在する場合には前記有効な情報を読み出すよう指示する。
【００４６】
本発明による第２の再生装置は、記録面上に、一時的管理情報領域およびインジケータ領域が設けられた追記型の記録媒体から情報を再生する。前記一時的管理情報領域は最新の管理情報が追加的に記録される第１領域および第２領域を含んでおり、前記インジケータ領域は、前記一時的管理情報領域に、管理情報が記録されているか否かを示すインジケータ情報が記録される領域である。前記再生装置は、光ヘッドと、前記光ヘッドに対して情報の再生を指示する制御部とを備えている。前記インジケータ情報が、前記一時的管理情報領域内の第１領域に管理情報が記録されていることを示しているときにおいて、前記制御部は、前記第１領域にアクセスするとともに、さらに前記第２領域にもアクセスするよう前記光ヘッドに指示し、前記第１領域および前記第２領域の少なくとも１つが有効な情報を持つか否かを判定し、存在する場合には前記有効な情報を読み出すよう指示する。
【発明の効果】
【００４７】
本発明にかかる管理情報更新方法によれば、記録媒体上に分散して配置されたＤＭＡに管理情報を記録する間にアクセスインジケータを記録するため、ファイナライズ処理が完了する前に不慮の電源中断などが発生してファイナライズ処理が中断した場合でも、ファイナライズ済みディスクとして起動できる状態か、または、ファイナライズ未実施ディスクとして起動して再度ファイナライズ処理を実行することが可能な状態の光ディスクを作成できる。
【００４８】
本発明にかかる管理情報更新方法によれば、ＤＭＡ１を記録した後に、アクセスインジケータを記録することによって、ＤＭＡ１のＤＦＬ記録に失敗してＤＦＬ記録位置情報が変更されても、ＤＭＡ１に記録したＤＤＳと同じ内容をインジケータ領域に記録することができる。従って、再生互換性の低い規格違反状態の光ディスクを作成することを防ぐことができる。
【００４９】
特に、ユーザデータ領域へのデータの書き込みが完了した後は、ＤＭＡ１、アクセスインジケータ、および、ＤＭＡ２の順序で記録が行われる。これらは記録媒体の内周方向から外周方向へ向けて、または、外周方向から内周方向へ向けて順に記録される。したがって、光ヘッドを同じ方向（たとえば内周方向または外周方向）にシークさせればよいため、シーク時間が短縮され、記録完了までの時間を短縮できる。
【００５０】
本発明にかかる管理情報取得方法によれば、アクセスインジケータ（領域記録済み情報）が記録済みであると示している領域以外についても、有効な情報が記録されているか否かを確認するため、管理情報更新中に電源中断などが発生した光ディスクでも、正常に管理情報を取得することができる。
【発明を実施するための最良の形態】
【００５１】
以下、添付の図面を参照しながら、本発明による情報記録装置および情報再生装置の実施形態を説明する。
【００５２】
以下に説明する実施形態では、記録媒体である光ディスク上に４つの管理情報領域（ＤＭＡ１〜４）がリードイン領域、リードアウト領域に分散して設けられ、さらにインジケータ領域が設けられている。さらに、（ａ）ＤＭＡ１に管理情報を記録するステップと（ｂ）前記管理情報が記録されたか否かを示すインジケータ情報をインジケータ領域に記録するステップと（ｃ）ＤＭＡ１に記録されたと同じ内容の管理情報を他のＤＭＡ（２〜４）に記録するステップとが順次実行される。以下、本発明の各実施形態を詳細に説明する。
【００５３】
（実施形態１）
１−１．追記型記録媒体
図１は、本実施形態の光ディスク１の構成を示す。光ディスク１の領域構成は図１９の従来の光ディスク２１の領域構成と同等である。
【００５４】
光ディスク１は円盤状の基盤に、スパイラル状のトラック溝２が形成されて構成されている。トラック溝２には、複数のブロック３が形成されている。ブロック３は、エラー訂正の単位であり、情報の記録および情報の再生のための最小の単位である。
【００５５】
光ディスク１は、リードイン領域４と、ユーザデータ領域５と、リードアウト領域６とを有する。ユーザデータの書き込みおよび読み出しはユーザデータ領域５に対して行われる。
【００５６】
リードイン領域４およびリードアウト領域６は、光ヘッド（図示せず）がユーザデータ領域５の端にアクセスする場合に、光ヘッドがユーザデータ領域５からオーバーランしてもトラッキングができるようにトラック溝が設けられた冗長領域である。これらの領域にはユーザーによるアクセス（所定アドレスにおける記録または再生）が許可されていないため、それらの一方または双方の一部に、管理データ等が書き込まれることがある。
【００５７】
リードイン領域４には、インジケータ領域７、管理情報領域８ａおよび一時的管理情報領域９が設けられる。管理情報領域８ａおよび一時的管理情報領域９には、光ディスク１の記録状態を管理する管理情報が記録される。一時的管理情報領域９は、管理情報領域に記録される管理情報を一時的に記録するために利用される。インジケータ領域７には、管理情報領域８および一時的管理情報領域９が記録済みか否かを示すインジケータ情報が記録される。
【００５８】
リードアウト領域６は、光ディスク１の記録状態を管理する管理情報が記録される管理情報領域８ｃを有する。
【００５９】
図２は、本実施形態の光ディスク１のデータ構造を示す。図２の左端には、図１において説明したインジケータ領域７、管理情報領域８ａ〜８ｃおよび一時的管理情報領域９が示されている。光ディスク１のデータ構造は、図２０の従来のデータ構造と同等である。
【００６０】
インジケータ領域７は、アクセスインジケータ７ａを有する。アクセスインジケータ７ａは、ＤＭＡ記録済み情報１５とＴＤＭＡ記録済み情報１６を含む。ＤＭＡ記録済み情報１５は、ＤＭＡ１領域１１のＤＤＳ１７のコピー１９である。
【００６１】
管理情報領域８ａ〜８ｃには、ファイナライズ時に管理情報を記録するためのＤＭＡ１領域１１、ＤＭＡ２領域１２、ＤＭＡ３領域１３およびＤＭＡ４領域１４が分散して配置されている。それぞれの領域には、ディスクの管理情報（ＤＤＳ１７およびＤＦＬ１８）が記録される。
【００６２】
１つのＤＭＡ領域にはＤＦＬ１８が同じ内容で多重記録される。ＤＤＳ１７はＤＦＬ記録位置情報２０を有する。ＤＦＬ記録位置情報２０は、正常に再生することができるＤＦＬ１８の記録位置を示す。
【００６３】
一時的管理情報領域９は、ファイナライズするまでに管理情報を一時的に記録するためのＴＤＭＡ領域１０を有する。ＴＤＭＡ領域１０には、より新しいＤＤＳ１７およびＤＦＬ１８が記録されていく。
【００６４】
本明細書においては、ＤＭＡ１領域１１からＤＭＡ４領域１４をまとめて、「ＤＭＡ領域」と記述する。
【００６５】
１−２．記録再生装置
図３は、本実施形態の光ディスク装置１００の構成を示す。
【００６６】
光ディスク装置１００は、Ｉ／Ｏバス１７０に接続されており、Ｉ／Ｏバス１７０は、上位制御装置（図示せず）に接続されている。上位制御装置は、典型的には、ホストコンピュータである。
【００６７】
光ディスク装置１００は、光ディスク１を装着可能に構成されている。光ディスク装置１００は、命令処理部１１０と、制御回路１１５と、管理情報バッファ１４０と、データバッファ１５０と、光ヘッド１６５とを備えている。
【００６８】
命令処理部１１０は、上位制御装置からの命令を処理する。管理情報バッファ１４０は管理情報を格納する。データバッファ１５０は記録データを一時的に格納する。
【００６９】
制御回路１１５は、命令処理部１１０によって処理された命令に基づいて処理を実行する。たとえば制御回路１１５は、上位制御装置からの再生命令に従って光ヘッド１６５を駆動し、光ディスク１から情報を再生する。また制御回路１１５は、上位制御装置からの記録命令に従って、データバッファ１５０に格納された情報を読み出し、光ヘッド１６５を駆動して、光ディスク１にその情報を記録する。たとえば制御回路１１５の指示に基づいて、光ヘッド１６５は、映像情報および／または音声情報（いわゆるユーザデータ）をユーザデータ領域５に記録し、後述の管理情報をＤＭＡ領域に記録し、アクセスインジケータ７ａをインジケータ領域７に記録する。
【００７０】
制御回路１１５は、上位制御装置からの命令に応じて、種々の処理を実行する。これは、制御回路１１５が予め保持している種々のコンピュータプログラムを実行することによって実現される。制御回路１１５はハードウェアとしてみれば１つの回路であるが、１つまたは複数のコンピュータプログラムの実行により、あたかも異なる構成要素であるかのように振舞う。
【００７１】
本願明細書では、説明の便宜のため、制御回路１１５が主要な処理を実行するための構成要素を備えているとして説明する。具体的には、光ディスク１への情報の記録を制御する記録制御部１２０、光ディスク１からの情報の再生を制御する再生制御部１３０、および、管理情報に関する処理を行う管理情報処理部１６０である。
【００７２】
記録処理時には、管理情報処理部１６０によって生成された種々の管理情報が管理情報バッファ１４０に格納される。記録制御部１２０は、光ヘッド１６５に対して管理情報バッファ１４０に格納された管理情報を適切な領域に記録するよう指示する。また、データバッファ１５０にユーザデータが格納されている場合には、記録制御部１２０は、光ヘッド１６５に対してそのユーザデータをユーザデータ領域５に記録するよう指示する。
【００７３】
再生処理時には、再生制御部１３０の指示によってユーザデータおよび管理情報が読み出されて、それぞれデータバッファ１５０および管理情報バッファ１４０に格納される。管理情報処理部１６０は、管理情報バッファ１４０に格納された種々の管理情報を読み出して処理する。
【００７４】
管理情報処理部１６０はさらに詳細な機能ごとの構成要素を有するとして捉えることができる。すなわち管理情報処理部１６０は、インジケータ読み出し部１６１と、インジケータ書き込み部１６２と、管理情報読み出し部１６３と、管理情報書き込み部１６４と、管理情報更新処理を制御する更新処理制御部１６５と、管理情報取得処理を制御する取得処理制御部１６６とを含む。管理情報処理部１６０はそれらの機能ブロックによって管理情報を処理する。
【００７５】
インジケータ読み出し部１６１は、インジケータ領域７からＤＭＡ記録済み情報１５およびＴＤＭＡ記録済み情報１６を読み出す。
【００７６】
インジケータ書き込み部１６２は、インジケータ領域７にＤＭＡ記録済み情報１５およびＴＤＭＡ記録済み情報１６を記録する。
【００７７】
管理情報読み出し部１６３は、ＤＭＡ１領域１１〜ＤＭＡ４領域１４およびＴＤＭＡ領域１０から管理情報を読み出し、管理情報格納バッファ１５０に格納する。
【００７８】
管理情報書き込み部１６４は、管理情報バッファ１４０に格納されている管理情報をＤＭＡ１領域１１〜ＤＭＡ４領域１４およびＴＤＭＡ領域１０に記録する。
【００７９】
１−３．管理情報更新方法
本実施形態の光ディスク１に管理情報を更新（記録）する方法を、以下に説明する。この処理は、上述の光ディスク装置１００によって実行される。
【００８０】
図４は、本実施形態によるファイナライズ処理の手順を示すフローチャートである。本実施形態においては、（ａ）ＤＭＡ１に管理情報を記録するステップと（ｂ）前記管理情報が記録されたか否かを示すインジケータ情報をインジケータ領域に記録するステップと（ｃ）ＤＭＡ１に記録されたと同じ内容の管理情報を他のＤＭＡ（２〜４）に記録するステップとが順次実行される。
【００８１】
以下、図３および図４を参照しながら、本実施形態による追記型記録媒体のファイナライズ処理の手順を説明する。
【００８２】
ステップ２０１において、光ディスク１が光ディスク装置１００に装着されると、取得処理制御部１６６は、インジケータ読み出し部１６１および管理情報読み出し部１６３に管理情報の取得処理を実行させる。
【００８３】
ステップ２０２において、光ディスク装置１００は、光ディスク１が光ディスク装置１００から排出されるか電源がオフされるまで、光ディスク１に対する命令を上位制御装置から受け付ける。光ディスク１に対する命令がファイナライズ命令である場合には、処理はステップ２０３に進む。
【００８４】
ステップ２０３において、更新処理制御部１６５は、光ディスク１に対してファイナライズ処理が可能かどうかを判定する。光ディスク１がファイナライズ未実施ディスクであれば、ファイナライズ処理可能と判定して、処理はステップ２０４に進む。
【００８５】
ステップ２０４において、ファイナライズ処理可能な場合、更新処理制御部１６５は、インジケータ書き込み部１６２および管理情報書き込み部１６４に、ファイナライズ処理を実行させる。
【００８６】
図５は、本実施形態のファイナライズ処理（図４のステップ２０４）の詳細な手順を示すフローチャートである。ここでは追記型ディスクをファイナライズする処理の例を説明する。
【００８７】
更新処理制御部１６５は、ステップ３０１〜ステップ３０５の手順で、インジケータ書き込み部１６１および管理情報書き込み部１６４に対してコマンドを送り、ファイナライズ処理を実行させる。
【００８８】
ステップ３０１において、更新処理制御部１６５は、管理情報書き込み部１６４に対してコマンドを送り、ＤＦＬ１８とＤＤＳ１７をＤＭＡ１領域１１に記録させる。このとき、ＤＦＬ１８を記録した後に、ＤＦＬ記録位置情報２０を更新してからＤＤＳ１７が記録される。
【００８９】
ステップ３０２において、更新処理制御部１６５は、インジケータ書き込み部１６１に対してコマンドを送り、ステップ３０１でＤＭＡ１領域１１に記録したＤＤＳ１７と同じ内容を、インジケータ領域７に記録させる。
【００９０】
ステップ３０３において、更新処理制御部１６５は、管理情報書き込み部１６４に対してコマンドを送り、ＤＦＬ１８およびＤＤＳ１７をＤＭＡ２領域１２に記録させる。このとき、ＤＦＬ１８が記録された後に、ＤＦＬ記録位置情報２０が更新され、その後、ＤＤＳ１７が記録される。
【００９１】
ステップ３０４において、更新処理制御部１６５は、管理情報書き込み部１６４に対してコマンドを送り、ＤＦＬ１８とＤＤＳ１７をＤＭＡ３領域１３に記録させる。このとき、ＤＦＬ１８が記録された後に、ＤＦＬ記録位置情報２０が更新され、その後、ＤＤＳ１７が記録される。
【００９２】
ステップ３０５において、更新処理制御部１６５は、管理情報書き込み部１６４に対してコマンドを送り、ＤＦＬ１８とＤＦＬ記録位置情報２０が更新されたＤＤＳ１７をＤＭＡ４領域１４に記録させる。このとき、ＤＦＬ１８が記録された後に、ＤＦＬ記録位置情報２０が更新され、その後、ＤＤＳ１７が記録される。
【００９３】
以上のような手順で、ファイナライズ処理が実行される。これにより、ファイナライズ処理中のどのステップで不慮の電源中断などが発生しても、ファイナライズ済みディスクとして正常に起動することができる状態か、または、ファイナライズ未実施で起動して、再度ファイナライズを正常に実行することができる状態の光ディスクを作成することができる。
【００９４】
例えば、アクセスインジケータへの記録が終了する（図５のステップ３０２）前に電源中断が発生した場合には、アクセスインジケータのＤＭＡ記録済み情報１５は記録されていないので、この光ディスクはファイナライズ未実施ディスクとして起動することができる。そして、再度ファイナライズを実行することで、インジケータ領域７およびＤＭＡ２領域１２〜ＤＭＡ４領域１４に記録されている情報から、ファイナライズ済みディスクとして正常に起動することができる。
【００９５】
一方、アクセスインジケータへの記録（図５のステップ３０２）が終了した後に電源中断が発生した場合には、インジケータ領域７およびＤＭＡ１領域１１に記録されている情報に基づけば、そのディスクはファイナライズ済みであるとして認識可能である。その結果、正常に起動することができる。ＤＭＡ１に管理情報を記録した直後にアクセスインジケータが記録されていることにより、ＤＭＡ２領域１２からＤＭＡ４領域１４が記録されていなくても問題は生じない。
【００９６】
以下、図６を参照しながら、本実施形態によるファイナライズ処理中に不慮の電源中断などが発生したときの、情報の書き込み状態の詳細を説明する。
【００９７】
図６は、図５の記録方法でファイナライズを実行した光ディスクの記録状態を示す。図６の（ａ）〜（ｆ）は、図５の（ａ）〜（ｆ）とそれぞれ対応しており、同時点の光ディスクの状態を示す。
【００９８】
まず、図５のステップ３０１の実行中に電源中断が発生したときを例に挙げて説明する。
【００９９】
ＤＭＡ１領域１１へのＤＭＡの記録中または記録直後（ステップ３０１）に電源中断が発生した場合、光ディスク１は図６の（ｂ）のように、アクセスインジケータが未記録で、ＤＭＡ１領域１１が記録済みの状態となる。
【０１００】
図７は、この光ディスクから起動し情報を再生するときの処理の手順を示すフローチャートである。
【０１０１】
インジケータ読み出し部１６１は、アクセスインジケータの取得を行う（ステップ４０１）。アクセスインジケータにはＤＭＡ記録済み情報１５が記録されていないため、管理情報を取得する対象の領域はＴＤＭＡ領域１０と判定される（ステップ４０２）。
【０１０２】
取得処理制御部１６６は、管理情報読み出し部１６３に、ＴＤＭＡ領域１０から管理情報を取得させる（ステップ４０３）。ＴＤＭＡ領域１０から最新の管理情報を取得して、ファイナライズ未実施の光ディスクとして起動完了する（ステップ４０５）。
【０１０３】
上位装置が再度ファイナライズ命令を指示すると、命令処理部１１０はファイナライズ命令を受け付け、管理情報処理部１６０はファイナライズ処理を開始する。
【０１０４】
ステップ３０１でＤＭＡ１領域１１への管理情報の記録が行われて、ＤＭＡ１領域１１の一部あるいは全部が上書きされる。しかし、追記型光ディスクであるため、上書きされた領域の管理情報は破壊されて再生できない状態となる。
【０１０５】
続いて、残りのステップ３０２〜ステップ３０５を実行して、ファイナライズ処理を終了する。
【０１０６】
この光ディスク１を図７に示す手順、すなわち通常の追記型ディスクの起動手順で起動すると、インジケータ読み出し部１６１は、アクセスインジケータの取得を行う（ステップ４０１）。ＤＭＡ記録済み情報１５が記録されているため、管理情報を取得する対象の領域はＤＭＡ領域と判定される（ステップ４０２）。
【０１０７】
取得処理制御部１６６は、管理情報読み出し部１６３に、ＤＭＡ領域から管理情報を取得させる（ステップ４０７）。
【０１０８】
管理情報読み出し部１６３は、ＤＭＡ１領域１１から管理情報の取得を行う（ステップ４０７）。ステップ３０１でＤＭＡ１領域１１の一部が上書きされただけの場合は、ＤＭＡ１領域１１の残りの領域からのＤＤＳ１７とＤＦＬ１８の取得が成功する。ＤＭＡ１領域１１からの管理情報取得が成功すれば、ファイナライズ済みディスクとして起動が正常終了する（ステップ４０９）。
【０１０９】
一方、ステップ３０１でＤＭＡ１領域１１の全部が上書きされてしまった場合は、ＤＭＡ１領域１１からのＤＤＳ１７とＤＦＬ１８の取得は失敗する。そこで、ＤＭＡ２領域１２からの管理情報の取得を行う。ステップ３０３でＤＭＡ２領域１２へＤＤＳ１７とＤＦＬ１８が正常に記録できた場合には、管理情報の取得が成功する。ＤＭＡ２領域１２からの管理情報取得が成功したため、ファイナライズ済みディスクとして起動が正常終了する（ステップ４０９）。
【０１１０】
このように、ファイナライズ処理中であって特にＤＭＡ２に管理情報を記録する以前に不慮の電源中断などが発生しても、ファイナライズ未実施ディスクとして正常に起動ができて、さらにファイナライズ処理を実行することで、正常にファイナライズができる。
【０１１１】
次に、ステップ３０２以降で電源中断が発生した場合について説明する。
【０１１２】
インジケータ領域７への記録以降（ステップ３０２〜ステップ３０５）に電源中断が発生した場合、光ディスク１は図６の（ｃ）〜（ｆ）のいずれかの状態となる。
【０１１３】
この光ディスク１を図７に示す手順で起動した場合について説明する。
【０１１４】
インジケータ読み出し部１６１は、アクセスインジケータの取得を行う（ステップ４０１）。アクセスインジケータにはＤＭＡ記録済み情報１５が記録されているため、管理情報を取得する対象の領域はＤＭＡ領域と判定される（ステップ４０２）。
【０１１５】
取得処理制御部１６６は、管理情報読み出し部１６３に、ＤＭＡ領域から管理情報を取得させる（ステップ４０７）。
【０１１６】
管理情報読み出し部１６３は、ＤＭＡ１領域１１から管理情報の取得を行う。ＤＭＡ１領域１１にはＤＤＳ１７とＤＦＬ１８が正常に記録されているため、管理情報の取得が成功する。ＤＭＡ１領域１１からの管理情報取得が成功したため、ファイナライズ済みディスクとして起動が正常終了する（ステップ４０９）。
【０１１７】
このように、ファイナライズ処理中に不慮の電源中断などが発生しても、ファイナライズ済みディスクとして正常に起動ができる光ディスクを作成することができる。
【０１１８】
以上から、本実施形態によれば、ＤＭＡ１の記録後であってＤＭＡ２の記録前にアクセスインジケータの記録を実行することによって、不慮の電源中断などによって、ファイナライズ処理中のどの段階で処理が中断したとしても、ファイナライズ済みディスクとして正常に起動できる状態か、または、ファイナライズ未実施ディスクとして起動ができて、再度ファイナライズ処理を実行することで、正常にファイナライズすることができる状態のディスクを作成することができる。
【０１１９】
また、本発明の管理情報更新方法および記録装置によれば、ＤＭＡ１領域１１にＤＦＬ１８とＤＤＳ１７を記録（ステップ３０１）した後に、アクセスインジケータを記録（ステップ３０２）するため、ＤＭＡ１領域１１のＤＦＬ１８記録に失敗してＤＤＳ１７のＤＦＬ記録位置情報２０が変更した場合でも、アクセスインジケータには同じ内容の情報を記録することができる。そのため、再生互換性が低い規格違反状態の光ディスクを作成してしまうことが回避できる。
【０１２０】
以上、図４〜図６を参照しながら、本実施形態の管理情報更新方法を説明した。
【０１２１】
なお、図５に示される実施形態１の管理情報更新方法では、アクセスインジケータを記録するステップ（ステップ３０２）は、ＤＭＡ１領域１１に管理情報を記録するステップ（ステップ３０１）とＤＭＡ２に管理情報を記録するステップ（ステップ３０３）の間に実行される。
【０１２２】
しかし、本発明の管理情報更新方法が図５に示される実施形態に限定されるわけではない。
【０１２３】
例えば、アクセスインジケータを記録するステップ（ステップ３０２）は、ＤＭＡ２に管理情報を記録するステップ（ステップ３０３）とＤＭＡ３に管理情報を記録するステップ（ステップ３０４）の間に実行されてもよい。
【０１２４】
また、例えば、アクセスインジケータを記録するステップ（ステップ３０２）は、ＤＭＡ３領域１３に管理情報を記録するステップ（ステップ３０４）とＤＭＡ４領域１４に管理情報を記録するステップ（ステップ３０５）の間に実行されてもよい。
【０１２５】
なお、アクセスインジケータを記録するステップ（ステップ３０２）をどのステップの後に実行するかは、ＤＭＡ領域への記録後に検査を行い、検査結果から決定しても良い。
【０１２６】
さらに、例えば、ＤＭＡ１領域１１への記録（ステップ３０１）が失敗と判定された場合、ＤＭＡ２領域１２への記録（ステップ３０３）を行う。ＤＭＡ２領域１２への記録（ステップ３０３）が成功と判定された場合、アクセスインジケータ領域９に管理情報を記録する（ステップ３０２）という管理情報更新方法でもよい。
【０１２７】
本実施形態によれば、たとえばユーザデータ領域へのデータの書き込みが完了した後、ＤＭＡ１への管理情報の記録、インジケータ領域７へのアクセスインジケータ７ａの記録、および、ＤＭＡ２への管理情報の記録が順に行われる。これらは記録媒体の内周方向から外周方向へ向けて順に記録される。したがって、光ヘッドを同じ方向（たとえば内周方向または外周方向）にシークさせればよいため、シーク時間が短縮され、記録完了までの時間を短縮できる。
【０１２８】
（実施形態２）
本実施形態においては、背景技術において言及した再生互換性の低い規格違反状態の光ディスクから、管理情報を読み出すための装置および方法等を説明する。たとえば本実施形態による再生装置は、後述する図１３のステップ６０３および６０４、ならびに図１４に示される手順を実行することによって、そのような処理を実現している。以下、本実施形態による再生装置の構成および動作を説明する。
【０１２９】
２−１．追記型記録媒体
本実施形態による追記型記録媒体の構造は、実施形態１の光ディスク１の構造と同じである。よってここではその説明を省略する。
【０１３０】
２−２．再生装置
図１２は、本実施形態の光ディスク装置５００の構成を示す。
【０１３１】
光ディスク装置５００は、Ｉ／Ｏバス５６０に接続されており、Ｉ／Ｏバス５６０は、上位制御装置（図示せず）に接続されている。上位制御装置は、典型的には、ホストコンピュータである。
【０１３２】
光ディスク装置５００は、光ディスク１を装着可能に構成されている。光ディスク装置５００は、命令処理部５１０と、制御回路５１５と、管理情報バッファ５３０と、データバッファ５４０と、光ヘッド５６５とを備えている。
【０１３３】
命令処理部５１０は上位制御装置からの命令を処理する。管理情報バッファ５３は管理情報を格納する。データバッファ５４０は再生データを一時的に格納する。
【０１３４】
制御回路５１５は、命令処理部５１０によって処理された命令に基づいて処理を実行する。たとえば制御回路５１５は、上位制御装置からの再生命令に従って光ヘッド５６５を駆動し、光ディスク１から情報を再生する。
【０１３５】
制御回路５１５は、上位制御装置からの命令に応じて、種々の処理を実行する。これは、制御回路５１５が予め保持している種々のコンピュータプログラムを実行することによって実現される。図３に示す制御回路１１５と同様である。制御回路５１５はハードウェアとしてみれば１つの回路であるが、異なるコンピュータプログラムの実行により、あたかも異なる構成要素であるかのように振舞う。
【０１３６】
本実施形態においても、説明の便宜のため、制御回路５１５が主要な処理を実行するための構成要素を備えているとして説明する。具体的には、光ディスク１からの情報の再生を制御する再生制御部５２０、および、管理情報に関する処理を行う管理情報処理部５５０である。
【０１３７】
管理情報処理部１６０はさらに詳細な機能ごとの構成要素を有するとして捉えることができる。すなわち管理情報処理部５５０は、インジケータ読み出し部５５１と、管理情報読み出し部５５２と、記録済み検査部５５３と、管理情報取得処理を制御する取得処理制御部５５４とを含む。
【０１３８】
インジケータ読み出し部５５１は、インジケータ領域７からＤＭＡ記録済み情報１５およびＴＤＭＡ記録済み情報１６を読み出す。
【０１３９】
管理情報読み出し部５５２は、ＤＭＡ１領域１１〜ＤＭＡ４領域１４およびＴＤＭＡ領域１０から管理情報を読み出し、管理情報格納バッファ５３０に格納する。
【０１４０】
記録済み検査部５５３は、ＤＭＡ１領域１１〜ＤＭＡ４領域１４が記録済みか否かを確認する。
【０１４１】
２−３．管理情報取得方法
以下、本実施形態の光ディスク１から管理情報を取得する方法を説明する。
【０１４２】
図１３は、本実施形態の管理情報取得処理手順を示すフローチャートである。本実施形態においては、ＤＭＡに有効な情報が記録されているか否かの確認処理が実行される。
【０１４３】
以下、図１２および図１３を参照しながら、本実施形態の管理情報取得処理手順を、ステップごとに説明する。
【０１４４】
取得処理制御部５５４は、インジケータ読み出し部５５１、管理情報読み出し部５５２および記録済み検査部５５３に、図１３に示す手順で管理情報取得処理を実行させる。
【０１４５】
ステップ６０１において、取得処理制御部５５４は、インジケータ読み出し部５５１に、アクセスインジケータのＤＭＡ記録済み情報１５およびＴＤＭＡ記録済み情報１６を取得させる。
【０１４６】
ステップ６０２において、取得処理制御部５５４は、アクセスインジケータの取得結果により、ＤＭＡ領域が記録済みかどうかを判断する。ＤＭＡ記録済み情報１５が記録されている場合（Ｙｅｓ）には、取得処理はステップ６０９に進む。ＤＭＡ記録済み情報１５が記録されていない場合（Ｎｏ）には、取得処理はステップ６０３に進む。
【０１４７】
ステップ６０３において、取得処理制御部５５４は、記録済み検査部５５３に、ＤＭＡ領域が記録済みか否かを確認させる。
【０１４８】
ステップ６０４において、ＤＭＡ領域が記録済みの場合（Ｙｅｓ）には、取得処理はステップ６０９に進む。ＤＭＡ領域が記録済みでない場合（Ｎｏ）には、取得処理はステップ６０５に進む。
【０１４９】
ステップ６０５において、取得処理制御部５５４は、管理情報読み出し部５５２に、ＴＤＭＡ領域１０から管理情報を取得させる。
【０１５０】
ステップ６０６において、ＴＤＭＡ領域１０から管理情報を取得できた場合（Ｙｅｓ）には、取得処理はステップ６０７に進む。ＴＤＭＡ領域１０から管理情報を取得できなかった場合（Ｎｏ）には、取得処理はステップ６０８に進む。
【０１５１】
ステップ６０７において、ＴＤＭＡ領域１０から管理情報を取得できたため、取得処理が正常に終了する。このとき、光ディスク１は、ファイナライズ未実施であると判定される。
【０１５２】
ステップ６０８において、管理情報を取得できずに、取得処理が終了する。このとき、光ディスク１は、異常ディスクであると判定される。
【０１５３】
ステップ６０９において、管理情報読み出し部５５２に、ＤＭＡ領域から管理情報を取得させる。
【０１５４】
ステップ６１０において、ＤＭＡ領域から管理情報を取得できた場合（Ｙｅｓ）には、取得処理はステップ６１１に進む。ＤＭＡ領域から管理情報を取得できなかった場合（Ｎｏ）には、取得処理はステップ６０５に進み、ＴＤＭＡ領域１０から管理情報を取得させる。
【０１５５】
ステップ６１１において、ＤＭＡ領域から管理情報を取得できたため、取得処理が正常に終了する。このとき、光ディスク１は、ファイナライズ済みであると判定される。
【０１５６】
なお、ＤＭＡ領域から管理情報取得する（ステップ６０９）時は、ＤＭＡ領域が記録済みか否かを確認（ステップ６０３）した結果から、記録済みであると確認したＤＭＡ領域からのみ管理情報の取得を行い、未記録であると確認したＤＭＡ領域からは管理情報の取得を行わないような管理情報取得処理であってもよい。
【０１５７】
図１４は、本実施形態のＤＭＡ領域の記録済み確認処理（図１３のステップ６０３）の詳細な手順を示すフローチャートである。
【０１５８】
以下、図１２および図１４を参照しながら、本実施形態のＤＭＡ領域の記録済み確認手順をステップごとに説明する。
【０１５９】
取得処理制御部５５４は、ステップ７０１〜ステップ７１０の手順で、記録済み検査部５５３に、ＤＭＡ領域が記録済みか否かを確認させる。
【０１６０】
ステップ７０１において、取得処理制御部５５４は、記録済み検査部５５３に、ＤＭＡ１領域１１が記録済みか否か確認させる。
【０１６１】
ステップ７０２において、ＤＭＡ１領域１１が記録済みの場合（Ｙｅｓ）には、処理はステップ７１０に進む。ＤＭＡ１領域１１が未記録の場合（Ｎｏ）には、処理はステップ７０３に進む。
【０１６２】
ステップ７０３において、取得処理制御部５５４は、記録済み検査部５５３に、ＤＭＡ２領域１２が記録済みか否か確認させる。
【０１６３】
ステップ７０４において、ＤＭＡ２領域１２が記録済みの場合（Ｙｅｓ）には、処理はステップ７１０に進む。ＤＭＡ２領域１２が未記録の場合（Ｎｏ）には、処理はステップ７０５に進む。
【０１６４】
ステップ７０５において、取得処理制御部５５４は、記録済み検査部５５３に、ＤＭＡ３領域１３が記録済みか否か確認させる。
【０１６５】
ステップ７０６において、ＤＭＡ３領域１３が記録済みの場合（Ｙｅｓ）には、処理はステップ７１０に進む。ＤＭＡ３領域１３が未記録の場合（Ｎｏ）には、処理はステップ７０７に進む。
【０１６６】
ステップ７０７において、取得処理制御部５５４は、記録済み検査部５５３に、ＤＭＡ４領域１４が記録済みか否か確認させる。
【０１６７】
ステップ７０８において、ＤＭＡ４領域１４が記録済みの場合（Ｙｅｓ）には、処理はステップ７１０に進む。ＤＭＡ４領域１４が未記録の場合（Ｎｏ）には、処理はステップ７０９に進む。
【０１６８】
ステップ７０９において、ＤＭＡ領域は未記録と判定される。
【０１６９】
ステップ７１０において、ＤＭＡ領域は記録済みと判定される。
【０１７０】
以上のような手順で、管理情報取得処理が実行される。ＤＭＡ記録済み情報１５が記録されていない場合にＤＭＡ領域が記録済みか否かを確認するため、ファイナライズ処理中に不慮の電源中断などが発生して、アクセスインジケータが記録されなかった光ディスクを起動した場合でも、ＤＭＡ領域から管理情報を取得することができる。
【０１７１】
以下に、図１３を参照しながら、図８に示す手順でファイナライズ処理を行い、ファイナライズ処理中に電源中断が発生した光ディスクを起動する場合を例にとって説明する。
【０１７２】
ＤＭＡ１領域１１に管理情報を記録中に電源中断が発生して、ＤＭＡ１領域１１にはＤＤＳ１７およびＤＦＬ１８が記録できていない場合について説明する。
【０１７３】
この光ディスク１を起動すると、アクセスインジケータにはＤＭＡ記録済み情報１５が記録されていない。そこで光ディスク装置はＤＭＡ領域が記録済みか否かを確認する（ステップ６０３）。ＤＭＡ１領域１１の一部が記録済みであるため、光ディスク装置はＤＭＡ領域が記録済みであると判定し、ＤＭＡ領域から管理情報を取得する（ステップ６０９）。ＤＭＡ領域にはＤＤＳ１７およびＤＦＬ１８が記録されていないため、ＤＭＡ領域からの管理情報の取得は失敗し、光ディスク装置はＴＤＭＡ領域１０から管理情報を取得する（ステップ６０５）。光ディスク装置はＴＤＭＡ領域１０から管理情報を取得し、ファイナライズ未実施ディスクと判定して取得処理を終了する（ステップ６０７）。
【０１７４】
なお、ＤＭＡ１領域１１の記録済み確認で、ＤＭＡ１領域１１の全てが記録済みでない場合は未記録と判定してもよい。このとき、ＤＭＡ領域は未記録と判定され、ＴＤＭＡ領域１０から管理情報を取得する（ステップ６０５）。
【０１７５】
次に、ＤＭＡ１領域１１の記録が完了した後に、電源中断が発生した場合について説明する。
【０１７６】
この光ディスク１を起動すると、アクセスインジケータにはＤＭＡ記録済み情報１５が記録されていない。そこで光ディスク装置はＤＭＡ領域が記録済みか否かを確認する（ステップ６０３）。ＤＭＡ１領域１１が記録済みであるため、光ディスク装置はＤＭＡ領域は記録済みであると判定し、ＤＭＡ領域から管理情報を取得する（ステップ６０９）。ＤＭＡ１領域１１には、ＤＤＳ１７およびＤＦＬ１８が記録されているため、ＤＭＡ領域からの管理情報取得は成功し、ファイナライズ済みディスクとして取得処理が終了する（ステップ６１１）。
【０１７７】
このように、本実施形態によれば、ＤＭＡ領域が記録済みか否かを確認するため、ＤＭＡ記録済み情報１５が記録されていなくても、ＤＭＡ領域が記録されている場合はＤＭＡ領域から管理情報を取得して、ファイナライズ済みディスクとして起動することができる。また、ＤＭＡ領域が記録されていない場合は、ＴＤＭＡ領域から管理情報を取得して、ファイナライズ未実施ディスクとして起動して、再度ファイナライズを正常に実行することができる。
【０１７８】
（実施形態３）
本実施形態においては、背景技術において言及した再生互換性の低い規格違反状態の光ディスクから、管理情報を読み出すための装置および方法等を説明する。当該光ディスクの典型的な例は後述する図１６（ｃ）および（ｄ）に記載されているとおりである。再生装置は図１５に示す手順を実行することによって、そのような処理を実現している。以下、本実施形態による再生装置の構成および動作を説明する。
【０１７９】
３−１．追記型記録媒体
本実施形態の追記型記録媒体は、インジケータ領域７とＴＤＭＡ領域１０を除いて、実施形態１と同様である。したがって、以下ではインジケータ領域７とＴＤＭＡ領域１０を詳細に説明し、それら以外の説明は省略する。
【０１８０】
図１７は、本実施形態のＴＤＭＡ領域１０のデータ構造の一例を示す。ＴＤＭＡ領域１０は、複数の領域（例えば、ＴＤＭＡ０領域３０、ＴＤＭＡ１領域３１およびＴＤＭＡ２領域３２）から成る。ＴＤＭＡ領域１０には、最新のＤＤＳ１７およびＤＦＬ１８がＴＤＭＡ０領域３０先頭から、ＴＤＭＡ１領域３１、ＴＤＭＡ２領域３２の順番で管理情報が記録される。
【０１８１】
図１８は、本実施形態のアクセスインジケータのデータ構造の一例を示す。ＴＤＭＡ記録済み情報１６には、ＴＤＭＡ１記録済み情報４１やＴＤＭＡ２記録済み情報４２が記録される。例えば、ＴＤＭＡ１記録済み情報４１が記録されている時は、ＴＤＭＡ１領域３１に最新の管理情報が記録されていることを示す。
【０１８２】
３−２．再生装置
本実施形態の光ディスク再生装置は、実施形態２の光ディスク再生装置と同様であるので、ここではその説明を省略する。
【０１８３】
３−３．管理情報取得方法
図１５は、本実施形態の管理情報取得処理手順を示すフローチャートである。この処理は、本実施形態による再生装置によって実行される。本実施形態においては、再生装置はＴＤＭＡに有効な情報が記録されているか否かの確認処理を実行する。
【０１８４】
以下、図１２および図１５を参照しながら、本実施形態の管理情報取得処理手順を、ステップごとに説明する。
【０１８５】
取得処理制御部５５４は、インジケータ読み出し部５５１、管理情報読み出し部５５２および記録済み検査部５５３に、図１５に示す手順でＴＤＭＡ領域１０から管理情報取得処理を実行させる。
【０１８６】
取得処理制御部５５４は、インジケータ読み出し部５５１にアクセスインジケータからＴＤＭＡ記録済み情報１６を取得させて、管理情報を取得する対象のＴＤＭＡ領域１０を決定する。
【０１８７】
ステップ８０１において、管理情報を取得する対象のＴＤＭＡ領域１０はＴＤＭＡ（ｎ）であると決定したとき、記録済み検査部５５３に、ＴＤＭＡ（ｎ）領域の記録済み確認を実行させる。
【０１８８】
ステップ８０２において、ＴＤＭＡ（ｎ）領域の記録済み確認の結果から、管理情報を取得する対象のＴＤＭＡ領域１０を決定する。ＴＤＭＡ（ｎ）領域全体が未記録の場合は、取得処理はステップ８０３に進む。ＴＤＭＡ（ｎ）領域の一部分のみが記録済みの場合は、取得処理はステップ８０４に進む。ＴＤＭＡ（ｎ）領域全体が記録済みの場合は、取得処理はステップ８０５に進む。
【０１８９】
ステップ８０５において、記録済み検査部５５３に、ＴＤＭＡ（ｎ＋１）領域の記録済み確認を実行させる。
【０１９０】
ステップ８０６において、ＴＤＭＡ（ｎ＋１）領域が未記録の場合（Ｙｅｓ）は、取得処理はステップ８０４に進む。ＴＤＭＡ（ｎ＋１）領域が記録済みの場合（Ｎｏ）は、取得処理はステップ８０７に進む。
【０１９１】
ステップ８０３において、管理情報読み出し部５５２に、ＴＤＭＡ（ｎ−１）領域から管理情報を取得させる。
【０１９２】
ステップ８０４において、管理情報読み出し部５５２に、ＴＤＭＡ（ｎ）領域から管理情報を取得させる。
【０１９３】
ステップ８０７において、管理情報読み出し部５５２に、ＴＤＭＡ（ｎ＋１）領域から管理情報を取得させる。
【０１９４】
ステップ８０８において、管理情報を取得できなかった場合（Ｎｏ）は、取得処理は失敗となる（ステップ８０９）。管理情報を取得できた場合（Ｙｅｓ）は、取得処理は成功となる（ステップ８１０）。
【０１９５】
なお、ステップ８０２で決定した管理情報を取得する対象の領域から管理情報を取得できなかった場合は、別の領域から取得処理を実行してもよい。例えば、ＴＤＭＡ（ｎ）領域からの取得が失敗した場合は、ＴＤＭＡ（ｎ−１）領域から管理情報を取得してもよい。
【０１９６】
以上のような手順で、ＴＤＭＡ領域１０からの管理情報取得処理が実行される。管理情報を取得する対象のＴＤＭＡ領域が記録済みか否かを確認するため、ＴＤＭＡ領域１０およびインジケータ領域７への管理情報更新中に電源中断などが発生して、ＴＤＭＡ記録済み情報１６の内容が正しくない光ディスクでも、正常に最新の管理情報を取得することができる。
【０１９７】
以下に、図１５および図１６を参照しながら、ＴＤＭＡ記録済み情報１６の内容が正しくない状態の光ディスクを起動再生した場合について詳細に説明する。
【０１９８】
図１６は、インジケータ領域７とＴＤＭＡ領域１０記録状態を示す。インジケータ領域７のＴＤＭＡ記録済み情報１６が、ＴＤＭＡ１領域３１は記録済みで、ＴＤＭＡ２領域３２は未記録であると示している状態を示す。この場合の、ＴＤＭＡ領域１０の記録状態は、図１６の（ａ）〜（ｄ）の状態があり得る。
【０１９９】
（ａ）ＴＤＭＡ領域１０は、ＴＤＭＡ０領域３０全体が記録済みで、ＴＤＭＡ１領域３１の一部分が記録済みで、ＴＤＭＡ２領域３２全体が未記録である。ＴＤＭＡ１領域３１に最新の管理情報を記録した場合で、これは正常な記録状態である。
【０２００】
（ｂ）ＴＤＭＡ領域１０は、ＴＤＭＡ０領域３０およびＴＤＭＡ１領域３１全体が記録済みで、ＴＤＭＡ２領域３２全体が未記録である。ＴＤＭＡ１領域３１の終端に最新の管理情報を記録した場合で、これは正常な記録状態である。
【０２０１】
（ｃ）ＴＤＭＡ領域１０は、ＴＤＭＡ０領域３０全体が記録済みで、ＴＤＭＡ１領域３１およびＴＤＭＡ２領域３２全体が未記録である。例えば、ＴＤＭＡ１領域３１へ記録する前にインジケータ領域７への記録を行い、その直後に電源中断が発生した場合に、このような記録状態となる。
【０２０２】
（ｄ）ＴＤＭＡ領域１０は、ＴＤＭＡ０領域３０およびＴＤＭＡ１領域３１全体が記録済みで、ＴＤＭＡ２領域３２の一部分が記録済みである。例えば、インジケータ領域７へ記録する前にＴＤＭＡ２領域３２への記録を行い、その直後に電源中断が発生した場合に、このような記録状態となる。
【０２０３】
本実施形態の管理情報取得手順は、管理情報の更新途中で電源中断などが発生した図１６の（ｃ）や（ｄ）のような記録状態の光ディスクでも、管理情報を取得する対象のＴＤＭＡ領域が記録済みか否かを確認するため、正常に管理情報を取得することができる。
【０２０４】
図１６の（ｃ）の状態の光ディスクから管理情報を取得する場合について説明する。
【０２０５】
ＴＤＭＡ記録済み情報１６は、ＴＤＭＡ１領域３１が記録済みと示しているため、ＴＤＭＡ１領域３１の記録済み確認が実行される（ステップ８０１）。ＴＤＭＡ１領域３１は全て未記録であるため、管理情報を取得する対象の領域はＴＤＭＡ０領域３０に決定される（ステップ８０２）。ＴＤＭＡ０領域３０から管理情報が取得される（ステップ８０３）。ＴＤＭＡ０領域３０には最新の管理情報が記録されているため、管理情報取得処理が成功して取得処理は完了する（ステップ８１０）。
【０２０６】
次に、図１６の（ｄ）の状態の光ディスクから管理情報を取得する場合について説明する。
【０２０７】
ＴＤＭＡ記録済み情報１６は、ＴＤＭＡ１領域３１が記録済みと示しているため、ＴＤＭＡ１領域３１の記録済み確認が実行される（ステップ８０１）。ＴＤＭＡ１領域３１は全て記録済みであるため、ＴＤＭＡ２領域３２が記録済みか否かの確認される（ステップ８０５）。ＴＤＭＡ２領域３２は記録済みのため、ＴＤＭＡ２領域３２から管理情報が取得される（ステップ８０７）。ＴＤＭＡ２領域３２には最新の管理情報が記録されているため、管理情報取得処理が成功して取得処理は完了する（ステップ８１０）。
【０２０８】
なお、ＴＤＭＡ１領域３１が全て記録済みであったとき、ＴＤＭＡ１領域３１の終端から管理情報を取得した後に、ＴＤＭＡ２領域３２からの管理情報取得処理を行ってもよい。
【０２０９】
このように、本実施形態によれば、管理情報更新中に不慮の電源中断などが発生して、アクセスインジケータ（領域記録済み情報）が正しい状態を示していない光ディスクでも、正常に管理情報を取得することができる。
【０２１０】
上述の実施形態においては、制御回路１１５および５１５が、コンピュータプログラムを実行することによって種々の動作を行うとして説明した。そのようなコンピュータプログラムは製品としてＣＤ−ＲＯＭ等の光ディスク、メモリカード等の半導体メモリなどに代表される記録媒体に記録されて市場に流通され、または、インターネット等の電気通信回線を通じて伝送される。
【０２１１】
このような制御回路１１５および５１５は、半導体回路にコンピュータプログラムを組み込んだＤＳＰ、チップ回路、光ディスクコントローラ等のハードウェアとして実現することも可能であるし、メモリ上に展開されたコンピュータプログラムを汎用のプロセッサに実行させることによって実現することも可能である。
【０２１２】
なお、たとえば図３においては、制御回路１１５と命令処理部１１０とを異なる構成要素としたが、命令処理部１１０の機能を制御回路１１５に組み込んでもよい。このとき命令処理部１１０の機能もまた、制御回路１１５において実行されるコンピュータプログラムによって実現することができる。図１２についても同様である。
【０２１３】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【０２１４】
本発明は、停電の頻度が高い劣悪な環境下において重要な情報を蓄積しなければならないような場合等に有効である。たとえば、安定した電力が供給されにくく、かつ、衝撃が加えられて故障が生じやすいラップトップＰＣなどの機器において、光ディスクに情報を記録する際に有用である。
【図面の簡単な説明】
【０２１５】
【図１】本発明の実施形態１の光ディスクの構成を示す図である。
【図２】本発明の実施形態１の光ディスクのデータ構造を示す図である。
【図３】本発明の実施形態１の光ディスク装置の構成を示す図である。
【図４】本発明の実施形態１の管理情報更新処理の手順を示すフローチャートである。
【図５】本発明の実施形態１のファイナライズ処理の手順を示すフローチャートである。
【図６】光ディスクの未記録領域および記録済み領域の遷移を示す図である。
【図７】背景技術の管理情報取得処理の手順の一例を示すフローチャートである。
【図８】背景技術のファイナライズ処理の手順の一例を示すフローチャートである。
【図９】光ディスクの未記録領域および記録済み領域の遷移を示す図である。
【図１０】背景技術のファイナライズ処理の手順の一例を示すフローチャートである。
【図１１】インジケータ情報とＤＤＳとでＤＦＬ記録位置情報が異なる場合の一例を示す図である。
【図１２】本発明の実施形態２の光ディスク装置の構成を示す図である。
【図１３】本発明の実施形態２の管理情報取得処理の手順を示すフローチャートである。
【図１４】本発明の実施形態２のＤＭＡ記録済み確認の手順を示すフローチャートである。
【図１５】本発明の実施形態３の管理情報取得処理の手順を示すフローチャートである。
【図１６】アクセスインジケータ領域とＴＤＭＡ領域の記録状態を示す図である。
【図１７】本発明の実施形態３のＴＤＭＡ領域のデータ構造を示す図である。
【図１８】本発明の実施形態３のアクセスインジケータ領域のデータ構造を示す図である。
【図１９】従来の光ディスクの構成を示す図である。
【図２０】従来の光ディスクのデータ構造を示す図である。
【符号の説明】
【０２１６】
１００    光ディスク装置
１１０    命令処理部
１２０    記録制御部
１３０    再生制御部
１４０    管理情報格納バッファ
１５０    データバッファ
１６０    管理情報処理部
１６１    インジケータ読み出し部
１６２    インジケータ書き込み部
１６３    管理情報読み出し部
１６４    管理情報書き込み部
１６５    更新処理制御部
１６６    取得処理制御部
１７０    Ｉ／Ｏバス
【手続補正３】
【補正対象書類名】図面
【補正対象項目名】全図
【補正方法】変更
【補正の内容】
【図１】
2008038698.tif 000023
【図２】
2008038698.tif 000024
【図３】
2008038698.tif 000025
【図４】
2008038698.tif 000026
【図５】
2008038698.tif 000027
【図６】
2008038698.tif 000028
【図７】
2008038698.tif 000029
【図８】
2008038698.tif 000030
【図９】
2008038698.tif 000031
【図１０】
2008038698.tif 000032
【図１１】
2008038698.tif 000033
【図１２】
2008038698.tif 000034
【図１３】
2008038698.tif 000035
【図１４】
2008038698.tif 000036
【図１５】
2008038698.tif 000037
【図１６】
2008038698.tif 000038
【図１７】
2008038698.tif 000039
【図１８】
2008038698.tif 000040
【図１９】
2008038698.tif 000041
【図２０】
2008038698.tif 000042
【国際調査報告】
2008038698.tif 000043
2008038698.tif 000044